(57)【特許請求の範囲】
【請求項１】
エネルギ輸送網へ接続されるクライアント装置のエネルギの供給を管理するシステムのための制御装置であって、前記クライアント装置は、前記エネルギ輸送網へ接続されるスイッチング装置を介してエネルギを供給されることが可能であり、前記エネルギ輸送網は、２つ以上の数ｍの連続する時間期間に夫々分けられた連続する時間インターバルに時間が分解される料金表に従いエネルギを受け取り、該エネルギが前記連続する時間期間の夫々の間に当該時間期間に対応する値段で勘定請求され、前記連続する時間期間は、２つ以上の数ｎの前記値段に対応する、制御装置において、
夫々の時間期間の終わりに、当該時間期間の間に前記クライアント装置へ前記エネルギ輸送網から供給される第１レベルのエネルギと、当該時間期間の間に前記スイッチング装置を介して前記エネルギ輸送網へ接続されているエネルギ蓄積手段へ前記エネルギ輸送網から供給される第２レベルのエネルギとに関する情報を前記スイッチング装置から受け取る手段と、
前記料金表の前記ｎ個の値段及び該値段に関連した前記エネルギ蓄積手段の充電の閾値を関連付ける手段であって、前記料金表から及び前記ｎ個の値段に関連した前記充電の閾値から、前記時間期間の夫々に関連した前記エネルギ蓄積手段の充電の局所閾値を決定するよう更に構成される手段と、
前記時間期間の夫々の間に前記エネルギ蓄積手段において蓄積されるエネルギの瞬時レベルに関する情報を実時間で受け、前記エネルギ蓄積手段において蓄積される前記エネルギの瞬時レベルと当該時間期間に関連した充電の局所閾値の値との間の比較に基づき前記スイッチング装置に対して設定モードを実時間で決定して割り当てる手段と、
前記時間インターバルの１つの前記ｍ個の時間期間にわたる前記エネルギ輸送網からのエネルギの実際の総レベルの供給の実際の費用を決定する手段であって、前記実際の総レベルは、当該時間インターバルの前記時間期間の間の前記第１レベルのエネルギ及び前記第２レベルのエネルギの和に等しい、手段と、
前記時間インターバルの前記ｍ個の時間期間にわたる前記エネルギ輸送網からのエネルギの架空の総レベルの供給の架空の費用を評価する手段であって、前記第１レベルのエネルギに等しい、前記時間期間の間に前記エネルギ輸送網から前記クライアント装置によって受け取られるエネルギのレベルと、前記値段に関連した前記エネルギ蓄積手段の充電の仮想閾値に対応する、前記時間期間の間に前記エネルギ輸送網から前記エネルギ蓄積手段によって受け取られるエネルギのレベルに存する仮想的な第２レベルのエネルギとを考慮することによって、前記クライアント装置への及び前記エネルギ蓄積手段へのエネルギの供給をシミュレートし、前記架空の費用の夫々について、前記値段の１つに関連した前記仮想閾値の１つは、前記値段の当該１つに関連した前記充電の閾値と異なり、前記架空の総レベルの夫々は、前記時間インターバルの前記時間期間の間の、前記第１レベルのエネルギと、前記仮想的な第２レベルのエネルギの１つとの和に等しい、手段と、
前記架空の費用と前記実際の費用との間の比較の結果から前記時間インターバルの次のために前記仮想閾値に対応する前記充電の閾値を更新する手段と
を有する制御装置。
【請求項２】
前記スイッチング装置に対して設定モードを実時間で決定し割り当てる手段は、
前記エネルギ蓄積手段がエネルギを前記クライアント装置へ供給する第１設定モード、又は
前記クライアント装置及び前記エネルギ蓄積手段によって同時にエネルギが受け取られる第２設定モード、又は
前記クライアント装置によってのみエネルギが受け取られる第３設定モード
に従って、前記設定モードを決定する、
請求項１に記載の制御装置。
【請求項３】
前記スイッチング装置に対して設定モードを実時間で決定し割り当てる手段は、
前記クライアント装置がエネルギを必要とし且つ前記エネルギの瞬時レベルが前記局所閾値よりも大きい場合に、前記第１設定モードに前記スイッチング装置を置く手段と、
前記クライアント装置がエネルギを必要とし且つ前記エネルギの瞬時レベルが前記局所閾値よりも小さい場合に、前記第２設定モードに前記スイッチング装置を置く手段と、
前記クライアント装置がエネルギを必要とし且つ前記エネルギの瞬時レベルが前記局所閾値に等しい場合に、前記第３設定モードに前記スイッチング装置を置く手段と
を有する、請求項２に記載の制御装置。
【請求項４】
前記スイッチング装置に対して設定モードを実時間で決定し割り当てる手段は、
前記エネルギ蓄積手段へのみエネルギが供給される第４モード、
前記システムへエネルギが供給されない第５モード
に従って、前記設定モードを更に決定し、
前記クライアント装置がエネルギを必要としないとき、前記決定し割り当てる手段は、
前記エネルギの瞬時レベルが前記局所閾値よりも小さい場合に前記第４モードを、
前記エネルギの瞬時レベルが前記局所閾値よりも大きいか又は該局所閾値に等しい場合に前記第５モードを
決定して前記スイッチング装置へ割り当てる、
請求項３に記載の制御装置。
【請求項５】
前記評価する手段は、前記時間インターバルにわたって前記架空の費用を評価するよう構成され、それにより、前記架空の費用の夫々について、前記値段の１つに関連した前記充電の仮想閾値の１つのみが、前記値段の当該１つに関連した前記充電の閾値と異なり、前記値段の残りに関連した前記仮想閾値の残りは、前記値段の当該残りに関連した前記充電の閾値と同じであり、前記架空の費用に夫々関連した前記異なる仮想閾値は、前記充電の閾値に夫々に対応する、
請求項１乃至４のうちいずれか一項に記載の制御装置。
【請求項６】
前記更新する手段は、前記仮想閾値に関連した前記架空の費用が前記実際の費用よりも低い場合に、前記値段に関連した前記充電の閾値を、前記時間インターバルの次のために、前記充電の仮想閾値により置き換えるよう構成される、
請求項１乃至５のうちいずれか一項に記載の制御装置。
【請求項７】
前記更新する手段は、前記仮想閾値に関連した前記架空の費用が前記実際の費用よりも高い場合に、前記充電の仮想閾値と前記充電の閾値との間の差を、前記値段に関連した前記充電の閾値から減じるよう構成される、
請求項６に記載の制御装置。
【請求項８】
前記ｎ個の値段の夫々は、前記充電の閾値の１つに関連し、前記時間期間の１つに関連した前記充電の局所閾値の夫々は、前記時間期間の当該１つに関連した前記値段に関連した前記充電の閾値に存する、
請求項１乃至７のうちいずれか一項に記載の制御装置。
【請求項９】
前記ｎ個の値段の夫々は、前記ｎ個の値段に関連した前記充電の閾値を構成するより低い充電の閾値及びより高い充電の閾値に関連し、前記関連付ける手段は、前記ｎ個の値段に関連した前記時間期間の１つに関連した前記充電の局所閾値の夫々を、
前記時間期間の当該１つの開始時に前記エネルギ蓄積手段において蓄積されているエネルギの瞬時レベルが前記より低い充電の閾値よりも小さい場合に、前記時間期間の当該１つに関連した前記より低い充電の閾値であると、
前記時間期間の当該１つの開始時における前記エネルギの瞬時レベルが前記より高い充電の閾値よりも大きい場合に、前記時間期間の当該１つに関連した前記より高い充電の閾値であると、
前記時間期間の当該１つの開始時における前記エネルギの瞬時レベルが当該時間期間に関連した前記より低い充電の閾値以上であり且つ当該時間期間に関連した前記より高い充電の閾値以下である場合に、前記時間期間の当該１つの開始時における前記エネルギの瞬時レベルであると
決定するよう構成される、
請求項１乃至７のうちいずれか一項に記載の制御装置。
【請求項１０】
前記評価する手段は、前記ｎ個の値段の夫々について、前記架空の費用のうちの第１の費用を、前記仮想閾値の１つを構成するより低い充電の仮想閾値を前記より低い充電の閾値及び前記より高い充電の閾値の両方と見なすことによって評価し、前記架空の費用のうちの第２の費用を、前記仮想閾値の１つを構成するより高い充電の仮想閾値を前記より低い充電の閾値及び前記より高い充電の閾値の両方と見なすことによって評価するよう構成される、
請求項９に記載の制御装置。
【請求項１１】
正の整数が決定され、前記値段の１つに関連し、前記値段の当該１つに関連した前記充電の閾値と異なる前記充電の仮想閾値の夫々は、前記充電の閾値と前記正の整数との和である、
請求項１乃至１０のうちいずれか一項に記載の制御装置。
【請求項１２】
前記架空の費用を評価する手段は、前記架空の費用について及び前記実際の費用について同じである前記時間インターバルの開始時における充電の瞬時レベルを用いる、
請求項１乃至１１のうちいずれか一項に記載の制御装置。
【請求項１３】
前記関連付ける手段は、
前記料金表を受け取る手段と、
夫々の時間インターバルの開始時に、前記料金表からの前記値段の値及び該値段に関連した前記エネルギ蓄積手段の充電の閾値の値を、
全ての前記値段の値が前の時間インターバルに対して又は第１の時間インターバルの間に変更される場合に、前記値段の値の初期化によって、
ｉ番目の値段の値が前の時間インターバルに対して変更される場合に、前記ｉ番目の値段に関連した充電の閾値への前記ｉ番目の値段に関連した充電の閾値の値の割り当てによって、
全ての前記値段の値が前の時間インターバルに対して不変である場合に、前記充電の閾値の値の更新によって、
評価する手段と
を有する、請求項１乃至１２のうちいずれか一項に記載の制御装置。
【請求項１４】
エネルギ輸送網へ接続されるクライアント装置のエネルギの供給を管理するシステムであって、前記エネルギ輸送網へ接続されるスイッチング装置を有し、前記クライアント装置は前記スイッチング装置を介してエネルギを供給されることができ、
前記エネルギ輸送網は、２つ以上の数ｍの連続する時間期間に夫々分けられた連続する時間インターバルに時間が分解される料金表に従いエネルギを受け取り、該エネルギは、前記連続する時間期間の夫々の間に当該時間期間に対応する値段で勘定請求され、前記連続する時間期間は、２つ以上の数ｎの前記値段に対応し、
当該システムは、前記スイッチング装置を介して前記エネルギ輸送網へ接続されるエネルギ蓄積手段を有する、システムにおいて、
請求項１乃至１３のうちいずれか一項に記載の制御装置を有する、システム。
【請求項１５】
エネルギ輸送網へ接続されるクライアント装置のエネルギの供給を管理する方法であって、前記クライアント装置は、前記エネルギ輸送網へ接続されるスイッチング装置を介してエネルギを求めることができ、前記エネルギ輸送網は、２以上の数ｍの連続する時間期間に夫々分けられた連続する時間インターバルに時間が分解される料金表に従い前記スイッチング装置を介してエネルギを受け取り、該エネルギが前記連続する時間期間の夫々の間に当該時間期間に対応する値段で勘定請求され、前記連続する時間期間は、２つ以上の数ｎの前記値段に対応し、エネルギ蓄積手段は、前記スイッチング装置を介して前記エネルギ輸送網へ接続される、方法において、
制御装置において、
夫々の時間期間の終わりに、当該時間期間の間に前記クライアント装置へ前記エネルギ輸送網から供給される第１レベルのエネルギと、当該時間期間の間に前記スイッチング装置を介して前記エネルギ輸送網へ接続されているエネルギ蓄積手段へ前記エネルギ輸送網から供給される第２レベルのエネルギとに関する情報を前記スイッチング装置から受け取るステップと、
前記料金表の前記ｎ個の値段及び該値段に関連した前記エネルギ蓄積手段の充電の閾値を関連付け、前記料金表から及び前記ｎ個の値段に関連した前記充電の閾値から、前記時間期間の夫々に関連した前記エネルギ蓄積手段の充電の局所閾値を決定するステップと、
前記時間期間の夫々の間に前記エネルギ蓄積手段において蓄積されるエネルギの瞬時レベルに関する情報を実時間で受け、前記エネルギ蓄積手段において蓄積される前記エネルギの瞬時レベルと当該時間期間に関連した充電の局所閾値の値との間の比較に基づき前記スイッチング装置に対して設定モードを実時間で決定して割り当てるステップと、
前記時間インターバルの１つの前記ｍ個の時間期間にわたる前記エネルギ輸送網からのエネルギの実際の総レベルの供給の実際の費用を決定するステップであって、前記実際の総レベルは、前記時間インターバルの前記時間期間の間の前記第１レベルのエネルギ及び前記第２レベルのエネルギの和に等しい、ステップと、
前記第１レベルのエネルギに等しい、前記時間期間の間に前記エネルギ輸送網から前記クライアント装置によって受け取られるエネルギのレベルと、前記値段に関連した前記エネルギ蓄積手段の充電の仮想閾値に対応する、前記時間期間の間に前記エネルギ輸送網から前記エネルギ蓄積手段によって受け取られるエネルギのレベルに存する仮想的な第２レベルのエネルギとを考慮することによって、前記クライアント装置への及び前記エネルギ蓄積手段へのエネルギの供給をシミュレートすることにより、前記時間インターバルの前記ｍ個の時間期間にわたる前記エネルギ輸送網からのエネルギの架空の総レベルの供給の架空の費用を評価するステップであって、前記架空の費用の夫々について、前記値段の１つに関連した前記仮想閾値の１つは、前記値段の当該１つに関連した前記充電の閾値と異なり、前記架空の総レベルの夫々は、前記時間インターバルの前記時間期間の間の、前記第１レベルのエネルギと、前記仮想的な第２レベルのエネルギの１つとの和に等しい、ステップと、
前記架空の費用と前記実際の費用との間の比較の結果から前記時間インターバルの次のために前記仮想閾値に対応する前記充電の閾値を更新するステップと
を有する方法。
【請求項１６】
請求項１乃至１３のうちいずれか一項に記載の制御装置によって実行されるよう構成される請求項１５に記載の方法。
【発明の詳細な説明】
【技術分野】
【０００１】
本発明は、局所的エネルギ輸送網のエネルギの供給の管理に関する。本発明は、より具体的には、そのようなエネルギ輸送網へのエネルギの供給を管理する方法及びシステム並びに該システムの制御装置に関する。
【背景技術】
【０００２】
個人のエネルギネットワークのエネルギの供給の管理の問題は、スマートグリッドにおける近年の発展からも明らかなように、ますます重要である。個人のエネルギネットワークのレベルで、近年、特に住居の屋根を覆う太陽光発電パネルの使用に基づくエネルギ供給システムの急速な発展がある。そのような太陽光発電パネルは、太陽によって照射されるとき、すなわち、家庭内ネットワークがほとんどエネルギを消費していない時間に、安価且つ再生可能な電気エネルギを供給する。一般的に、そのようなシステムは、従って、エネルギを蓄えて、その後に、太陽が下にあり且つ住居のエネルギ必要性がより高いときにエネルギを使用することができるようにする手段を有する。更に、何年か後には、電気自動車の使用が発展し、そのような自動車のバッテリが住居の近くに駐車されるときに十分な追加のエネルギ蓄積容量を提供する見込みである。
【０００３】
今日、そのようなエネルギ蓄積手段の管理が非常に未発達であり、主として、太陽光発電パネルのような個人の装置から日中に生成される余分のエネルギを吸収することが目標である。この管理方法は、オペレータが時刻にかかわらず一定の価格でエネルギを供給する住居に適する。
【０００４】
しかし、エネルギを個人に供給するオペレータによる価格決定の習わしには変化が見られる。それらのオペレータは、エネルギが供給されて消費される時間に従って、供給されるエネルギの価格を変更する。この変更は現在非常に単純である。よって、フランスでは、フランス電力会社（ＥＤＦ）の料金表は、オフピーク時間と呼ばれる第１の価格と、ピーク時間と呼ばれる第２の価格とを有する。オフピーク時間の間のキロワット時の価格は、ピーク時間の間のキロワット時の価格よりも低い。オフピーク時間は、フランス領域における電気エネルギの全体的需要（個人及び産業の消費）がより低いことがＥＤＦによって観測される時間、例えば午後１０時から午前６時、に対応し、ピーク時間は午前６時から午後１０時である。この料金表は、エネルギ消費を分配することによってエネルギ消費のピークを補償してＥＤＦが追加のエネルギ源（火力発電所）への依存を減らすことを可能にするとともに、消費者がオフピーク時間のようなエネルギがより安い時間帯に電気機器の電源を入れる場合にその電気料金を下げることを可能にするという２つの利点を備える。
【０００５】
実際に、追加のエネルギ源は、原子力発電所のような従来のエネルギ源よりも環境に対して有害であり且つ高価であると考えられる。
【０００６】
単純な奨励される料金表は、エネルギ消費量が多い機器（例えば、洗濯機等）の電源を入れるのに夜を選択することができる消費者によって容易に採用されるという特定の利点を有する。
【０００７】
家庭内電気網に接続される機器の幾つかは、オフピーク時間に対応する期間の間の起動を制御する装置を有する。しかし、このような課金の奨励は個人の消費者に電気エネルギの消費の時間を選択することを余儀なくさせることが明らかである。この強制は、遅延された消費が引き起こしうる騒音公害（例えば、洗濯機ドラムの回転によって生じる騒音）により又は、起動を遅らせることができない機器の性質（電気暖房）により、課されることが困難でありうる。
【０００８】
更に、将来は、より多くの個人に彼らが選択した時間にエネルギを消費させようとするために、エネルギ供給会社はその料金表を精緻化し、２つの相補的な時間期間への１日の１よりも多い分割を有することが見込まれる。従って、時間期間の定義及び変化する時間枠にわたってそれらの時間期間の間に課される価格の両方に関して変化するであろう（１時間から数時間の）細かい時間区分を備えた料金表の定義へシフトする傾向がある。機器のための起動遅延プログラミングシステムは、エネルギ料金表のこのような増した複雑性には適さない。
【発明の概要】
【発明が解決しようとする課題】
【０００９】
本発明の目的は、エネルギ供給オペレータによって適合されるエネルギ料金表の複雑性が増すことを防ぎながら、個々の家庭で利用可能な新しいエネルギ蓄積手段を利用することによって家庭内電気網のエネルギの供給について勘定を下げることである。
【課題を解決するための手段】
【００１０】
オペレータによって供給されるエネルギの価格が高いときには優先的に蓄えられたエネルギを消費し、望ましくは供給されるエネルギの価格が低いときには蓄積手段ＰＳＤにエネルギを充電することは、経済的理由からより価値があることが知られる。本発明は、このような所見に基づき、供給されるエネルギの勘定を下げるようエネルギの供給を管理する自動の適応された方法及びシステムを提案する。
【００１１】
「自動」とは、提案される方法及びシステムが、例えばエネルギ供給オペレータによって変更される料金表に関連して閾価格を設定するよう、手動の（すなわち、人オペレータによる）設定を必要としないことを意味すると理解される。特に、本発明は、時間にわたるエネルギ供給オペレータの料金変更に適応する。
【００１２】
「適応」とは、ここでは、提案される方法及びシステムが、供給されるエネルギの全体のレベル（クライアント装置によって直接に消費されるエネルギのレベル及び、存在する場合に、蓄積手段に蓄積されるエネルギのレベルを含む。）及びこのエネルギレベルの供給時間に従って時間において連続的にエネルギ費を評価することを意味する。
【００１３】
本発明の背後にある考えは、優先的に、エネルギの価格が安い時間期間の間にオペレータによって供給されるエネルギを蓄えるよう、且つ、優先的に、オペレータによって供給される価格がより高い期間の間にエネルギ蓄積手段に蓄えたエネルギを消費するよう、エネルギ供給オペレータの料金表を知ることである。
【００１４】
このために、本発明の目的は、第１の態様に従って、エネルギ輸送網へ接続されるクライアント装置のエネルギの供給を管理するシステムであって、前記エネルギ輸送網へ接続されるスイッチング装置を有し、前記クライアント装置は前記スイッチング装置を介してエネルギを供給されることができ、
オペレータは、２以上の数ｍの連続する時間期間に夫々分けられた連続する時間周期に時間が分解される料金表に従い前記エネルギ輸送網へエネルギを供給し、該エネルギは、前記連続する時間期間の夫々の間に当該時間期間に対応する値段で勘定請求され、
当該システムは、前記スイッチング装置を介して前記エネルギ輸送網へ接続されるエネルギ蓄積手段を有する、システムにおいて、
前記スイッチング装置は、
前記エネルギ蓄積手段が前記クライアント装置へエネルギを供給する第１設定モード、又は
前記オペレータが前記クライアント装置へ及び前記エネルギ蓄積手段へ同時にエネルギを供給する第２設定モード、又は
前記オペレータが前記クライアント装置にのみエネルギを供給する第３設定モード
に従って構成可能である、システムである。
【００１５】
当該システムは、前記エネルギ蓄積手段に蓄積されるエネルギの瞬時レベルと夫々の時間期間に関連する前記エネルギ蓄積手段の充電の局所閾値とを比較する手段と、前記比較の結果に従って前記第１設定モード、前記第２設定モード及び前記第３設定モードの中から設定モードを決定して前記スイッチング装置へ割り当てる手段とを有する制御装置を更に有する。
【００１６】
有利に、前記制御装置は、前記時間期間の開始時に前記エネルギ蓄積手段に蓄積されるエネルギの瞬時レベルと夫々の時間期間に関連する前記エネルギ蓄積手段の充電の第１及び第２の現在の閾値とを比較する手段と、前記比較の結果から前記局所閾値を決定する手段とを有する。
【００１７】
有利に、前記設定モードを決定して前記スイッチング装置へ割り当てる手段は、前記クライアント装置がエネルギを必要とするとき、
前記エネルギの瞬時レベルが前記局所閾値よりも大きい場合に前記第１設定モードを、
前記エネルギの瞬時レベルが前記局所閾値よりも小さい場合に前記第２設定モードを、
前記エネルギの瞬時レベルが前記局所閾値に等しい場合に前記第３設定モードを
決定して前記スイッチング装置へ割り当てることができる。
【００１８】
有利に、前記スイッチング装置は、夫々の時間期間の終わりに前記制御装置へ、当該時間期間の間の前記クライアント装置へ前記オペレータによって供給される第１レベルのエネルギ及び前記エネルギ蓄積手段へ前記オペレータによって供給される第２レベルのエネルギを供給することができる。
【００１９】
有利に、前記制御装置は、昇順に従って分類される料金表のエネルギ価格に対応するｎ個の要素（ｐ１，・・・，ｐｉ，・・・ｐｎ）の第１ベクトルと、前記エネルギ価格（ｐ１，・・・，ｐｉ，・・・ｐｎ）に関連する前記エネルギ蓄積手段の充電の閾値であるｎ個の要素の２つの第２ベクトルとを決定するよう構成され、ｉは１からｎの間に含まれる整数であり、前記制御装置は更に、前記第１ベクトル及び前記第２ベクトルから並びに前記料金表から前記第１及び第２の現在の閾値を決定するよう構成される。
【００２０】
有利に、前記制御装置は、前記第１レベルのエネルギに等しい前記時間期間の間に前記クライアント装置へ前記オペレータによって供給されるエネルギのレベルを考慮することによって及び、前記第１ベクトと仮想の第２ベクトルとを含む２ｎ個の関連付けを引き続いて考慮することによって、夫々の時間周期の終わりに、エネルギの総レベルの前記オペレータによる供給の実際の費用と２ｎ個の架空の費用との間の比較の結果から前記２つの第２ベクトルの要素の値を更新する手段を有し、前記総レベルは、前記時間期間の間の前記第１レベルのエネルギと前記第２レベルのエネルギとの和に等しく、前記架空の費用は、当該システムへの前記オペレータによるエネルギの供給の費用の前記制御装置によって実行される２ｎ回のシミュレーションから得られ、前記仮想の第２ベクトルの１つはｎ個の要素（ＬＴＬ１，・・・，ＬＴＬｉ＋δ，・・・，ＬＴＬｎ）を有し、前記仮想の第２ベクトルの他はｎ個の要素（ＨＴＬ１，・・・，ＨＴＬｉ＋δ，・・・，ＨＴＬｎ）を有し、δは前記制御装置に記憶される正の整数である。
【００２１】
有利に、前記スイッチング装置は更に、
前記オペレータが前記エネルギ蓄積手段へのみエネルギを供給する第４モード、
前記オペレータが当該システムへエネルギを供給しない第５モード
に従って構成可能であり、
前記クライアント装置がエネルギを必要としないとき、前記設定モードを決定して前記スイッチング装置へ割り当てる手段は、
前記エネルギの瞬時レベルが前記局所閾値よりも小さい場合に前記第４モードを、
前記エネルギの瞬時レベルが前記局所閾値よりも大きいか又は該局所閾値に等しい場合に前記第５モードを
決定して前記スイッチング装置へ割り当てることができる。
【００２２】
本発明の目的は、第２の態様に従って、エネルギ輸送網へ接続されるクライアント装置のエネルギの供給を管理するシステムのための制御装置であって、前記クライアント装置は、前記エネルギ輸送網へ接続されるスイッチング装置を介してエネルギを供給されることが可能であり、オペレータは、２以上の数ｍの連続する時間期間に夫々分けられた連続する時間周期に時間が分解される料金表に従い前記エネルギ輸送網へエネルギを供給し、該エネルギは、前記連続する時間期間の夫々の間に当該時間期間に対応する値段で勘定請求される、制御装置である。
【００２３】
当該制御装置は、
夫々の時間期間の終わりに、当該時間期間の間の前記クライアント装置へ前記オペレータによって供給される第１レベルのエネルギ及び前記エネルギ蓄積手段へ前記オペレータによって供給される第２レベルのエネルギを前記スイッチング装置から受け取る第１手段と、
昇順に従って分類される前記料金表のエネルギ価格に対応するｎ個の要素（ｐ１，・・・，ｐｉ，・・・，ｐｎ）の第１ベクトルと、前記エネルギ価格（ｐ１，・・・，ｐｉ，・・・，ｐｎ）に関連する前記エネルギ蓄積手段の充電の閾値であるｎ個の要素を夫々含む２つの第２ベクトルとの関連付けを有し、ｉは１からｎの間に含まれる整数である第２手段であって、前記関連付けから及び前記料金表から充電の第１及び第２の現在の閾値を決定するよう更に構成され、前記時間期間の開始時に前記エネルギ蓄積手段に蓄積されるエネルギの瞬時レベルと前記時間期間に関連する前記第１及び第２の現在の閾値との間の比較から前記エネルギ蓄積手段の充電の局所閾値を決定するよう更に構成される第２手段と、
第３手段と
を有し、
前記第３手段は、該第３手段が前記エネルギ蓄積手段から実時間で受け取ることができる瞬時レベルと前記時間期間に関連する前記局所閾値の値との間の比較に基づき、前記スイッチング装置に対して設定モードを実時間で決定して割り当てる。
【００２４】
本発明の目的は、第３の態様に従って、エネルギ輸送網へ接続されるクライアント装置のエネルギの供給を管理する方法であって、前記クライアント装置は、前記エネルギ輸送網へ接続されるスイッチング装置を介してエネルギを必要とすることができ、オペレータは、２以上の数ｍの連続する時間期間に夫々分けられた連続する時間周期に時間が分解される料金表に従い前記エネルギ輸送網へエネルギを供給し、該エネルギは前記連続する時間期間の夫々の間に当該時間期間に対応する値段で勘定請求され、エネルギ蓄積手段は、該エネルギ蓄積手段が前記クライアント装置へエネルギを供給する第１モード又は、前記オペレータが前記クライアント装置へ及び前記エネルギ蓄積手段へ同時にエネルギを供給する第２モード又は、前記オペレータが前記クライアント装置へのみエネルギを供給する第３モードに従って構成される前記スイッチング装置を介して、前記エネルギ輸送網へ接続される、方法である。
【００２５】
制御装置において、当該方法は、
前記料金表を受け取るステップと、
連続して且つ実時間で、前記エネルギ蓄積手段に蓄積されるエネルギの瞬時レベルを前記エネルギ蓄積手段から受け取るステップと、
前記料金表から第１ベクトルのｎ個の要素を評価し、夫々の時間周期の開始時に、前記第１ベクトルのｎ個の要素に関連する２つの第２ベクトルのｎ個の要素を決定するステップと、
前記料金表から及び前記関連付けから目下の時間期間について前記エネルギ蓄積手段の充電の第１及び第２の現在の閾値を決定するステップと、
夫々の時間期間で、
当該時間期間の開始時にエネルギの瞬時レベルを決定し、
当該時間期間の開始時に前記エネルギ蓄積手段に蓄積される前記エネルギの瞬時レベルと当該時間期間に関連する充電の前記第１及び第２の現在の閾値との間の比較から、前記エネルギ蓄積手段の充電の局所閾値を決定し、
連続して且つ実時間で、前記瞬時レベルが前記局所閾値を満たすように、前記スイッチング装置に対して設定モードを決定し割り当てるステップと
を有する。
【００２６】
本発明の実施形態に従って、当該方法は、
前記時間期間の範囲にわたる前記時間周期の間の前記オペレータによるエネルギの供給の実際の費用を評価するステップと、
前記第１レベルのエネルギに等しい前記時間期間の間の前記クライアント装置へ前記オペレータによって供給されるエネルギのレベルを考慮することによる前記時間期間の間の前記エネルギ蓄積手段への前記オペレータによるエネルギの供給のｎ個の第２費用の２つの組の評価から、引き続いて前記第１ベクトル及び仮想の第２ベクトルを含む２ｎ個の関連付けを考慮することによって、前記時間期間の範囲にわたる前記時間周期の間の前記オペレータによるエネルギの供給の２ｎ個の架空の費用を評価し、前記仮想の第２ベクトルの１つはｎ個の要素（ＬＴＬ１，・・・，ＬＴＬｉ＋δ，・・・，ＬＴＬｎ）を有し、前記仮想の第２ベクトルの他はｎ個の要素（ＨＴＬ１，・・・，ＨＴＬｉ＋δ，・・・，ＨＴＬｎ）を有し、δは前記第２手段に記憶される正の整数であるステップと、
前記時間周期の終わりに、前記実際の費用の値と前記架空の費用の夫々の値とを比較するステップと、
前記比較の結果に従って前記制御装置に記憶される前記第２ベクトルの要素の値を更新するステップと
を更に有する。
【図面の簡単な説明】
【００２７】
【図１】本発明の実施形態に従って局所的エネルギ輸送網の電気供給を管理するシステムを示す。
【図２】（ａ）〜（ｅ）は、図１の管理システムに含まれるスイッチング装置が第１乃至第５モードに従って夫々設定される場合の管理システムにおけるエネルギのフローを示す。
【図３】本発明の実施形態に従うシステムのエネルギ蓄積手段ＰＳＤに蓄えられるエネルギの瞬時レベルＳＥＬの時間周期Ｃ１の存続期間にわたる時間変化を示す。
【図４】２つの連続する時間周期Ｃ１，Ｃ２に対応する存続期間にわたる充電の現在の閾値ＱＴＬＴ１，ＱＴＬＴ２，ＱＴＬＴ３，ＱＴＬＴ４，ＱＴＬＴ１’，ＱＴＬＴ２’，ＱＴＬＴ３’，ＱＴＬＴ４’の時間変化を示す。
【図５】本発明の実施形態に従う制御装置ＧＷＹのアーキテクチャの例を図式的に示す。
【図６】（ａ）、単一の閾値ＴＬＴ１が時間期間Ｔ１の間に供給されるエネルギの価格ｑＴ１に関連付けられる本発明の特定の実施形態について、制御装置ＧＷＹによって決定される充電の局所閾値ＱＴＬＴ１の値を示す。（ｂ）は、２つの閾値ＬＴＬＴ１，ＨＴＬＴ１が時間期間Ｔ１の間に供給されるエネルギの価格ｑＴ１に関連付けられる本発明の実施形態について、時間期間Ｔ１の開始時に蓄積手段ＰＳＤに蓄積されているエネルギの瞬時レベルＳＥＬＩＮＩＴ，Ｔ１に従って制御装置ＧＷＹによって決定される充電の局所閾値ＱＴＬＴ１の値を示す。
【図７】２つの閾値ＬＴＬＴ１，ＨＴＬＴ１が時間期間Ｔ１の間に供給されるエネルギの価格ｑＴ１に関連付けられる本発明の実施形態に従う方法のフローチャートを示す。
【発明を実施するための形態】
【００２８】
本発明は、本発明の実施形態に関する以下の詳細な説明を読んでより良く理解されるであろう。以下の説明は一例としてのみ提供され、添付の図面を参照する。
【００２９】
図１は、局所的エネルギ輸送網ＤＥＮで運ばれるエネルギを消費するよう構成される少なくとも１つのクライアント装置ＤＣＬを有する局所的エネルギ輸送網ＤＥＮを示す。
【００３０】
「局所的エネルギ輸送網」によって、スイッチング装置ＣＯＭが置かれうる特定のノードでエネルギアクセスが中央集権化されるエネルギ輸送網が理解される。このスイッチング装置ＣＯＭは、局所的なネットワークＤＥＮ全体のエネルギの供給を制御するよう構成される。
【００３１】
ネットワークＤＥＮは、例えば、個人の住戸を備える。その場合に、これは、家庭内ネットワークと呼ばれる。しかし、局所的エネルギ輸送網ＤＥＮは、家庭内ネットワークにのみ制限されず、工業製造単位、例えば、ネットワークＤＥＮの外部のエネルギ源によって供給されるエネルギを用いて機能する工業的用途のための設備類を有する建物、を備えることもできる。
【００３２】
以下、ネットワークＤＥＮは局所電力輸送網である。しかし、本発明の実施形態は、局所電力輸送網の電力の供給を管理することに制限されないことは言うまでもない。
【００３３】
図１の要素に戻ると、エネルギ蓄積手段ＰＳＤは、スイッチング装置ＣＯＭを介してネットワークＤＥＮへ接続されている。よって、電気ネットワークＤＥＮに接続されているクライアント装置ＤＣＬは、エネルギ蓄積手段ＰＳＤに蓄えられている電力によって又は、エネルギ供給オペレータＰＳＯによって直接に供給される電力（例えば、ネットワークＤＥＮの外の電気エネルギ源からの電力）によって、電気エネルギを供給され得る。クライアント装置ＤＣＬによって消費される電力の供給源は、スイッチング装置ＣＯＭの設定モードによって定められる。
【００３４】
例えば、特定の設定モードに置かれると、スイッチング装置ＣＯＭは、ネットワークＤＥＮへ接続されるクライアント装置へ局所ネットワークの外部のエネルギ源によってエネルギを供給する権限をオペレータＰＳＯに与える。他の特定の設定モードに置かれると、スイッチング装置ＣＯＭは、オペレータＰＳＯによるネットワークＤＥＮのエネルギの供給を遮り、ネットワークＤＥＮに接続されるクライアント装置のためのエネルギ源へとエネルギ蓄積手段を変質させることもできる。
【００３５】
蓄積手段ＰＳＤは、優先的に、住戸に連結された固定手段である。しかし、それは、例えば、自動車が住戸の近くに駐車されて且つ自動車のバッテリがスイッチング装置ＣＯＭを介して局所ネットワークＤＥＮへ接続される場合にのみエネルギ蓄積容量を提供する自動車の電気バッテリのような、移動可能な部品を有することもできる。
【００３６】
以下、オペレータＰＳＯはネットワークの唯一の電気供給部であり、それはネットワークＤＥＮの外の単一の外部供給源から電力を供給するとする。その外部供給源によって生成されるエネルギは、オペレータＰＳＯによってネットワークへ運ばれる。蓄積手段ＰＳＤに蓄積されているエネルギも予めオペレータＰＳＯによって供給されてよく、同様に外部供給源ＥＰＳによってもたらされる。エネルギ源は、例えば原子力発電所である。オペレータＰＳＯによって供給されるエネルギは同時に複数の供給源によって生成され得ることは言うまでもない。
【００３７】
以下、オペレータＰＳＯは、電気エネルギを供給するよう無限な容量を有すると考えられる。すなわち、オペレータＰＳＯは、制限なしに、ネットワークＤＥＮの１以上のクライアント装置ＤＣＬが必要とするだけのエネルギを供給し、更に必要ならば、同時にエネルギ蓄積手段ＰＳＤにエネルギを充電するよう管理することができる。
【００３８】
その部分について、蓄積手段ＰＳＤは、有限且つ決定された蓄積容量ＣＡＰを有する。言い換えると、蓄積手段ＰＳＤは、自身が有するエネルギの瞬時レベルＳＥＬがＣＡＰを超えないまで、エネルギを蓄え続けることができる。更に、蓄積手段ＰＳＤは、自身が有するエネルギの瞬時レベルＳＥＬが０よりも大きい間、ネットワークＤＥＮに給電するエネルギ源を構成する。
【００３９】
エネルギ源及び蓄積手段ＰＳＤは両方とも、
エネルギ蓄積手段ＰＳＤが自身が有するエネルギをスイッチング装置ＣＯＭを介してクライアント装置ＤＣＬにのみ供給する第１モード（図２（ａ）参照）、又は
オペレータＰＳＯがスイッチング装置を介して、クライアント装置ＤＣＬへエネルギを供給し、同時に蓄積手段ＰＳＤにエネルギを充電（すなわち、エネルギを供給）する第２モード（図２（ｂ）参照）、又は
オペレータＰＳＯがクライアント装置ＤＣＬにのみエネルギを供給する第３モード（図２（ｃ）参照）、又は
エネルギ蓄積手段ＰＳＤがスイッチング装置ＣＯＭを介して外部供給源によってエネルギを充電される第４モード（図２（ｄ）参照）、又は
クライアント装置ＤＣＬがエネルギを供給されず且つエネルギ蓄積手段ＰＳＤが供給源ＥＰＳによってエネルギを充電されない第５モード（図２（ｅ）参照）
に従って設定可能であるスイッチング装置ＣＯＭを介して、ネットワークＤＥＮへ接続される。
【００４０】
図１において、細い矢印は情報のフローを表す。図２（ａ）乃至（ｃ）において、太い矢印はエネルギのフローを表す。
【００４１】
図２（ａ）乃至（ｃ）において、稲妻は、クライアント装置ＤＣＬに給電するエネルギ源を表す。
【００４２】
制御装置ＧＷＹは、蓄積手段ＰＳＤの充電の現在のレベルＳＥＬ（蓄積手段ＰＳＤに蓄積されているエネルギの瞬時レベルＳＥＬの値として後に記載することもある。）に関する情報から及び、蓄積手段ＰＳＤの目標の充電に対する充電情報の局所閾値から、第１乃至第５モードの中から設定モードを決定する。制御装置ＧＷＹは、決定した設定モードをスイッチング装置ＣＯＭに割り当てる。この決定及び割り当ては実時間において、すなわち、制御装置ＧＷＹが蓄積手段ＰＳＤの充電の現在のレベルＳＥＬに関する情報を受け取る速度で、行われる。
【００４３】
より具体的に、図５に示されるように、制御装置ＧＷＹは、蓄積手段ＰＳＤに蓄積されているエネルギの瞬時レベルＳＥＬが、目標レベルである蓄積手段ＰＳＤに蓄えられるエネルギのレベルに対応する充電の局所閾値よりも大きいか又はそれに等しいように、スイッチング装置ＣＯＭの設定モードＭＯＤを決定する手段Ｍ３を有する。スイッチング装置ＣＯＭの設定モードが制御装置ＧＷＹによって決定される方法は、本明細書において後に特定される。
【００４４】
本発明の特定の態様の１つは、エネルギ蓄積手段ＰＳＤの充電の局所閾値が時間において一定ではなく、その時点でオペレータＰＳＯによって供給されるであろうエネルギの価格に結び付けられた値をとることである。
【００４５】
以下、最初の部分は、単一の閾値がオペレータＰＳＯによって供給されるエネルギの夫々の価格と関連付けられる本発明の第１実施形態について記載する。
【００４６】
最初の記載に基づき、次いで第２実施形態が提示され、その第２実施形態について、２つの閾値が、オペレータＰＳＯによって供給されるエネルギの夫々の価格と関連付けられる。
【００４７】
記載される第１実施形態は、当然に第２実施形態の特定の場合であり、２つの閾値が等しい値を有する状況に対応する。第２実施形態の説明を始める前に第１実施形態の詳細を説明することは、より簡単に思われる。本発明の第２実施形態の架空の費用を計算するステップが、後に示されるように、第１実施形態の同様のステップと同じであることは言わずもがなであるから、これは全てますます理に適っている。
【００４８】
以下、エネルギ供給オペレータＰＳＯは、時間を周期的な連続した、望ましくは同じ時間周期Ｃ１，Ｃ２に分解する料金表に従ってエネルギの供給を勘定請求すると考えられる。時間周期Ｃ１，Ｃ２は、ｍ個の連続する時間期間Ｔ１，・・・，Ｔｊ，・・・，Ｔｍに分けられる。その時間期間の間、オペレータＰＳＯが供給するエネルギは価格ｑＴ１，・・・，ｑＴｊ，・・・，ｑＴｍで勘定請求される。
【００４９】
簡単に本発明を説明するために、２４時間に対応する存続期間を有する時間周期Ｃ１，Ｃ２が考えられる。時間周期Ｃ１は、数ｍ＝４の連続した時間期間Ｔ１，Ｔ２，Ｔ３，Ｔ４に分けられ、それらの時間期間の間、オペレータＰＳＯによって供給されるエネルギの価格は固定され、夫々ｑＴ１，ｑＴ２，ｑＴ３，ｑＴ４に等しい。
【００５０】
ｑＴ１，ｑＴ２，ｑＴ３，ｑＴ４は、時間期間Ｔ１，Ｔ２，Ｔ３，Ｔ４の間に供給されるエネルギについて請求される価格を示すオペレータの料金表を構成する。この料金表は、全ての連続した時間周期に適用される。よって、１つの時間周期から他の時間周期までに請求される額の変化は、オペレータＰＳＯによって供給されるエネルギのレベルと、この供給が起こる時間期間Ｔ１，Ｔ２，Ｔ３，Ｔ４とにのみ依存する。
【００５１】
先と同じく、簡単に本発明の実施形態を記載するために、４つの時間期間Ｔ１，Ｔ２，Ｔ３，Ｔ４は夫々、請求されるエネルギの価格が（ｑＴ１，ｑＴ２，ｑＴ３，ｑＴ４）＝（１，１０，５０，１０）に等しい６時間の等しい存続期間を有する。
【００５２】
提案される方法及びシステムが２４時間ではない周期、更には、２よりも大きいという条件で４ではない数ｍの時間期間を有して動作可能であることは言うまでもない。時間期間の存続期間は影響がない。
【００５３】
更に、本発明に従う方法は、料金表が複数の連続した時間周期にわたって不変なままであるから、尚更有意にエネルギの勘定請求が下げられることを可能にする。また、それは、後に説明されるように、オペレータＰＳＯによる料金表の変更に対する適応を可能にする。
【００５４】
第１の時間周期Ｃ１の開始時に、料金表ｑＴ１，ｑＴ２，ｑＴ３，ｑＴ４の制御装置ＧＷＹによる受信の後、第１ベクトルＶ１が構成される。第１ベクトルＶ１は、料金表において数字で表されているエネルギ価格に対応するｎ個の要素ｐ１，・・・，ｐｉ，・・・，ｐｎを有する。要素ｐｉは昇順に分類される。ｎは２以上の整数であるとする。すなわち、料金表は少なくとも２つの異なる価格を有する。ｎは、価格が２つの異なる時間期間について使用され得る場合に、必然的にｍ以下の数であり、１からｎ−１の間に含まれるｉについて、ｐｉはｐｉ＋１よりも低い。
【００５５】
第１ベクトルＶ１は、図５に示される制御装置ＧＷＹの手段Ｍ２に記憶される。
【００５６】
本願の例では、３つの異なる価格が料金表ｑＴ１，ｑＴ２，ｑＴ３，ｑＴ４に含まれ、第１ベクトルＶ１が（１，１０，５０）である場合に、ｎ＝３である。
【００５７】
料金表が（例えば、時間期間の削除又は追加による料金表ｑＴ１，ｑＴ２，ｑＴ３，ｑＴ４における価格ｑＴｊの１つの変更によって）変更されない限り、第１ベクトルＶ１の要素の値は変更されない。
【００５８】
［充電の単一の閾値ＴＬｉがオペレータＰＳＯによって供給されるエネルギの価格ｐｉと関連付けられる本発明の第１実施形態に関する記載］
本明細書の第２の部分において与えられる２つのベクトルＶ２Ｈ及びＶ２Ｌが等しい状況を考える。すなわち、同じ値を有する２つのベクトルＶ２Ｈ及びＶ２Ｌよりむしろ、Ｖ２で表される単一の第２ベクトルＶ２が明細書のこの第１の部分においては考えられる。
【００５９】
第２ベクトルＶ２は、手段Ｍ２によって時間周期の開始時に構成される。それは、エネルギ価格ｐ１，ｐ２，ｐ３に関連するエネルギ蓄積手段ＰＳＤの充電の閾値であるｎ＝３個の要素（ＴＬ１，ＴＬ２，ＴＬ３）を有する。充電のこの閾値は目標値を構成する。すなわち、その初期値にかかわらず、瞬時レベルＳＥＬは充電の閾値ＴＬｉの値を満足することを目指さなければならない。
【００６０】
第１の時間周期Ｃ１の間、値ＴＬ１，ＴＬ２，ＴＬ３は、任意に手段Ｍ２によって初期化される。望ましくは、第２ベクトルＶ２の要素の値の初期化は、第２ベクトルＶ２のｉ番目の要素ＴＬｉの値が如何なる数ｉについても第２ベクトルＶ２のｉ＋１番目の要素ＴＬｉ＋１の値よりも大きいように、行われる（例において、ｉは１から２の間に含まれる。）。後に明らかなように、要素ＴＬｉの値は時間とともに変更される。それでもなお、エネルギの価格が高いときよりも安いときにより高いレベルへと蓄積手段ＰＳＤにエネルギを充電することが経済的に好ましいことは、すでに指摘したとおりである。この所見を考慮する第２ベクトルＶ２の要素の初期化は、システムをより速やかに効率化する。ここで、任意にＶ２＝（ＴＬ１，ＴＬ２，ＴＬ３）＝（５０，２０，１）を考える。
【００６１】
その後の時間周期について、第１ベクトルＶ１の要素ｐ１，ｐ２，ｐ３の値は、前の時間周期に対して不変なままである（オペレータによる料金表の変更を除く。）。しかし、第２ベクトルＶ２の要素ＴＬ１，ＴＬ２，ＴＬ３の値は、手段Ｍ２によって夫々の時間周期の終わりに更新される。この更新については本明細書において後に詳述する。
【００６２】
第１ベクトルＶ１の要素ｐ１，ｐ２，ｐ３の値が前の時間周期に対して変更される場合に（オペレータによる料金表の変更）、手段Ｍ２は、続く時間周期について、第２ベクトルＶ２のｉ−１番目の要素ＴＬｉ−１の値を第２ベクトルＶ２のｉ番目の要素ＴＬｉの値に割り当てる。例えば、ｐ２の値が変更される場合には、ＴＬ１の値は第２ベクトルＶ２の第２の要素ＴＬ２に割り当てられる
従って、この時点で、手段Ｍ２は、供給源によって供給されるエネルギの価格である３つの要素ｐ１，ｐ２，ｐ３を有する第１ベクトルＶ１と、価格ｐ１，ｐ２，ｐ３に関連する蓄積手段ＰＳＤの充電の閾値である３つの要素ＴＬ１，ＴＬ２，ＴＬ３を更に有する第２ベクトルＶ２との関連付けを有する。
【００６３】
手段Ｍ２は更に、第１ベクトルＶ１と第２ベクトルＶ２との関連付けから及び、現在の期間Ｔ１，Ｔ２，Ｔ３，Ｔ４の間に供給源によって供給されるエネルギの価格ｑＴ１，ｑＴ２，ｑＴ３，ｑＴ４を示す料金表から、充電の現在の閾値ＱＴＬＴ１，ＱＴＬＴ２，ＱＴＬＴ３，ＱＴＬＴ４を決定する。夫々の価格ｐｉについて、手段Ｍ２は、価格ｑＴｉに等しい第１ベクトルＶ１の要素ｐ１，ｐ２，ｐ３に対応する第２ベクトルの要素ＴＬ１，ＴＬ２，ＴＬ３（すなわち、同じ見だしｉを有する。）の値を、充電の現在の閾値ＱＴＬＴｉに割り当てる。
【００６４】
よって、ここで充電の現在の閾値（ＱＴＬＴ１，ＱＴＬＴ２，ＱＴＬＴ３，ＱＴＬＴ４）は（５０，２０，５，２０）である。
【００６５】
留意点：図７に示される本発明の第２実施形態に対応する本発明に従う方法のフローチャートにおいて、手段Ｍ２は、第１ベクトルＶ１から及び２つの第２ベクトルＶ２Ｌ，Ｖ２Ｈから第１及び第２の現在の閾値（ＱＬＴＬＴｊ、ＱＨＴＬＴｊ）を決定し（ステップＳ２．２）、次いで、続くステップ（ステップＳ３．１）で局所閾値ＱＴＬＴｊを決定する。本発明の第１実施形態では、第１の閾値ＱＬＴＬＴｊは第２の閾値ＱＨＴＬＴｊに等しく、局所閾値（ＱＴＬＴｊ）は充電の現在の閾値ＱＴＬＴｊに等しい。
【００６６】
有利に、手段Ｍ２は、
−料金表ｑＴ１，ｑＴ２，ｑＴ３，ｑＴ４を受け取る手段と、
−時間周期の開始時に、料金表ｑＴ１，ｑＴ２，ｑＴ３，ｑＴ４からの第１ベクトルＶ１の要素ｐ１，ｐ２，ｐ３の値を評価する手段と、
−時間周期Ｃ２の開始時に第２ベクトルＶ２の要素ＴＬ１，ＴＬ２，ＴＬ３の値を、
○第１ベクトルＶ１の要素ｐ１，ｐ２，ｐ３の値が前の時間周期Ｃ１に対して不変である場合に、要素ＴＬ１，ＴＬ２，ＴＬ３の値の更新によって、
○第１ベクトルＶ１の全ての要素ｐ１，ｐ２，ｐ３の値が前の時間周期Ｃ１に対して又は第１の時間周期の間に変更される場合に、要素ＴＬ１，ＴＬ２，ＴＬ３の値の初期化によって、
○第１ベクトルＶ１のｉ番目の要素ｐｉの値が前の時間周期に対して変更される場合に、第２ベクトルＶ２のｉ番目の要素ＴＬｉへの第２ベクトルＶ２のｉ−１番目の要素ＴＬｉ−１の値の割り当てによって、
評価する手段と
を有する。
【００６７】
有利に、料金表を受け取る手段は、エネルギが局所的エネルギ輸送網ＤＥＮへ運ばれるのとは異なる経路、例えばインターネット接続、によって、オペレータＰＳＯから直接に料金表を受け取る。
【００６８】
代替的に、料金表は、エネルギが局所的エネルギ輸送網ＤＥＮと同じ経路によって、オペレータＰＳＯによって制御装置ＧＷＹへ送信される。料金表は、この場合に、スイッチング装置ＣＯＭで取り出され、スイッチング装置ＣＯＭによって制御装置ＧＷＹへ送られてよい。この状況は図１において表されている。料金表は、例えば電力線搬送（ＰＬＣ）（power  line  carrier）による情報の項目の形で、オペレータＰＳＯによって送信される。
【００６９】
有利に、制御装置ＧＷＹの手段Ｍ３（図５参照）は、
−少なくとも１つのクライアント装置ＤＣＬがエネルギを必要とし且つエネルギの瞬時レベルＳＥＬが充電の現在の閾値ＱＴＬＴ１，ＱＴＬＴ２，ＱＴＬＴ３，ＱＴＬＴ４よりも大きい場合に、エネルギ蓄積手段ＰＳＤがクライアント装置ＤＣＬへエネルギを供給する第１設定モードにスイッチング装置ＣＯＭを置く手段と、
−少なくとも１つのクライアント装置ＤＣＬがエネルギを必要とし且つエネルギの瞬時レベルＳＥＬが充電の現在の閾値ＱＴＬＴ１，ＱＴＬＴ２，ＱＴＬＴ３，ＱＴＬＴ４よりも小さい場合に、オペレータＰＳＯがクライアント装置ＤＣＬへ及びエネルギ蓄積手段ＰＳＤへ同時にエネルギを供給する第２設定モードにスイッチング装置ＣＯＭを置く手段と、
−少なくとも１つのクライアント装置ＤＣＬがエネルギを必要とし且つエネルギの瞬時レベルＳＥＬが充電の現在の閾値ＱＴＬＴ１，ＱＴＬＴ２，ＱＴＬＴ３，ＱＴＬＴ４に等しい場合に、オペレータがクライアント装置ＤＣＬへのみエネルギを供給する第３設定モードにスイッチング装置ＣＯＭを置く手段と、
−少なくとも１つのクライアント装置ＤＣＬがエネルギを必要とせず且つエネルギの瞬時レベルＳＥＬが充電の現在の閾値ＱＴＬＴ１，ＱＴＬＴ２，ＱＴＬＴ３，ＱＴＬＴ４よりも小さい場合に、オペレータＰＳＯがエネルギ蓄積手段ＰＳＤへのみエネルギを供給する第４モードにスイッチング装置ＣＯＭを置く手段と、
−少なくとも１つのクライアント装置ＤＣＬがエネルギを必要とせず且つエネルギの瞬時レベルＳＥＬが充電の現在の閾値ＱＴＬＴ１，ＱＴＬＴ２，ＱＴＬＴ３，ＱＴＬＴ４よりも大きいか又はそれに等しい場合に、オペレータＰＳＯがクライアント装置ＤＣＬへ及びエネルギ蓄積手段ＰＳＤへエネルギを供給しない第５モードにスイッチング装置ＣＯＭを置く手段と
を有する。
【００７０】
図３は、制御装置ＧＷＹの手段Ｍ３がスイッチング装置ＣＯＭの設定モードを決定して割り当てる場合の蓄積手段ＰＳＤに蓄積されるエネルギの瞬時レベルＳＥＬの時間変化を示す。
【００７１】
図３は、（充電の単一の現在の閾値が夫々のエネルギ価格に、従ってそれぞれの時間期間に結び付けられる）本発明の第１実施形態についてエネルギの瞬時レベルＳＥＬにおける変化を示す。
【００７２】
扱われる例に対応する充電の現在の閾値ＱＴＬＴ１，ＱＴＬＴ２，ＱＴＬＴ３，ＱＴＬＴ４は、時間期間Ｔ１，Ｔ２，Ｔ３，Ｔ４の存続期間の範囲にわたる太い水平線によって示されている。
【００７３】
エネルギの瞬時レベルＳＥＬは、エネルギ蓄積手段ＰＳＤが空である値０から、手段ＰＳＤの最大容量を表す値ＣＡＰの間で、変化することができる。例えば、エネルギ蓄積手段ＰＳＤの容量ＣＡＰは１００に等しい。
【００７４】
時間期間Ｔ１の開始時に、エネルギ蓄積手段ＰＳＤの瞬時レベルＳＥＬＩＮＩＴ，Ｔ１は、蓄積手段ＰＳＤに蓄積される何らかの瞬時レベルＳＥＬとして、制御装置ＧＷＹから知られる。より一般的に、値ＳＥＬＩＮＩＴ，Ｔ１は、夫々の時間期間Ｔｊの開始時に、制御装置ＧＷＹの手段Ｍ２に記憶される。
【００７５】
制御装置ＧＷＹは、蓄積手段ＰＳＤに蓄積されるエネルギの瞬時レベルＳＥＬと、現在の時間期間Ｔ１，Ｔ２，Ｔ３，Ｔ４の充電の局所閾値ＱＴＬＴ１，ＱＴＬＴ２，ＱＴＬＴ３，ＱＴＬＴ４との間の比較に従って、設定モードＭＯＤの１つを決定して装置ＣＯＭに割り当てる。
【００７６】
クライアント装置ＤＣＬは、４つの時間期間Ｔ１，Ｔ２，Ｔ３，Ｔ４にわたって連続的に一定レベルでエネルギを消費するとする。すなわち、それは、一定である単位時間ごとのエネルギレベルを必要とする。この仮定の下では、第１、第２及び第３モードのみが制御装置ＧＷＹによって決定され、スイッチング装置ＣＯＭに割り当てられ得る。他の仮定は当然に、他の設定モードの決定に導く。
【００７７】
図３に示される例では、時間周期の開始時に、エネルギの瞬時レベルＳＥＬの値はＳＥＬＩＮＩＴ，Ｔ１に等しく、充電の局所閾値ＱＴＬＴ１の値よりも小さい。クライアント装置ＤＣＬはエネルギを必要とするので、上記の設定モード決定ロジックに従って、制御装置ＧＷＹは第２設定モードを決定し、エネルギの瞬時レベルＳＥＬが充電の局所閾値ＱＴＬＴ１の値に達するまで第２設定モードをスイッチング装置ＣＯＭに割り当てる。エネルギの瞬時レベルＳＥＬが充電の局所閾値ＱＴＬＴ１の値に達した時点で、制御装置ＧＷＹは第３設定モードを決定する。すなわち、オペレータＰＳＯはもっぱらクライアント装置ＤＣＬに給電する。エネルギ蓄積手段ＰＳＤは給電されず、エネルギの瞬時レベルＳＥＬは時間期間Ｔ１の終わりまで一定である。時間期間Ｔ２の開始時に、エネルギの瞬時レベルＳＥＬは、単位時間ごとにクライアント装置ＤＣＬによって必要とされるエネルギレベルに依存する速度で連続的に低下する。第１設定モードの間のレベルＳＥＬにおける変化の増大傾斜は、エネルギ蓄積手段ＰＳＤの充電速度に依存する。
【００７８】
時間期間Ｔ２の間、次いで時間期間Ｔ３の開始時に、エネルギの瞬時レベルＳＥＬがたとえ減少しているとしても充電の局所閾値のレベル（時間期間Ｔ２ではＱＴＬＴ２、時間期間Ｔ３ではＱＴＬＴ３）よりも高いままであるので、制御装置ＧＷＹは依然として第１設定モードを決定してスイッチング装置ＣＯＭに割り当てる。従って、エネルギの瞬時レベルＳＥＬは、エネルギの瞬時レベルＳＥＬが充電の局所閾値ＱＴＬＴ３の値に達するまでは低下する。エネルギの瞬時レベルＳＥＬが充電の局所閾値ＱＴＬＴ３の値に達した時点で、制御装置ＧＷＹは第３設定モードを決定する。すなわち、エネルギ蓄積手段ＰＳＤはもはや給電されず、エネルギの瞬時レベルＳＥＬは時間期間Ｔ３の終わりまで一定である。
【００７９】
最後に、時間期間Ｔ４にわたって、時間期間Ｔ１と同じく、制御装置ＧＷＹは、エネルギの瞬時レベルＳＥＬが充電の局所閾値ＱＴＬＴ４の値に達するまで、スイッチング装置ＣＯＭに対して第２設定モードを決定して割り当てる。次いで、制御装置ＧＷＹは、スイッチング装置ＣＯＭに対して第３設定モードを決定して割り当てる。
【００８０】
エネルギ消費の勘定請求は、クライアント装置ＤＣＬ及び蓄積手段ＰＳＤのエネルギ消費の決定から、次のように確立され得る：
時間期間Ｔ１，Ｔ２，Ｔ３，Ｔ４にわたって、クライアント装置ＤＣＬによって消費されるエネルギの第１レベルＰＲＬＴ１，ＰＲＬＴ２，ＰＲＬＴ３，ＰＲＬＴ４は、夫々の時間期間の終わりにスイッチング装置ＣＯＭから知られる。従って、クライアント装置ＤＣＬのエネルギ消費に関する情報は、この時点で制御装置ＧＷＹの手段Ｍ１に供給され得る。
【００８１】
例えば、（ＰＲＬＴ１，ＰＲＬＴ２，ＰＲＬＴ３，ＰＲＬＴ４）＝（２０，２０，３０，４０）を考える。
【００８２】
更に、エネルギ蓄積手段ＰＳＤのエネルギ消費もスイッチング装置ＣＯＭから知られる。
【００８３】
スイッチング装置ＣＯＭに割り当てられる設定モードが第１モードであるとき、エネルギ蓄積手段ＰＳＤはエネルギを充電されない。従って、エネルギ蓄積手段ＰＳＤはエネルギを消費しない。
【００８４】
しかし、スイッチング装置へ割り当てられる設定モードが第２モードであるとき、エネルギの瞬時レベルＳＥＬは、オペレータＰＳＯによって供給されるエネルギの消費に対応して増大する。エネルギ蓄積手段ＰＳＤのこのエネルギ消費は、エネルギの瞬時レベルＳＥＬが増大する時点における瞬時レベルＳＥＬの変化曲線の下に見られる灰色領域（本例では三角形）によって示される。
【００８５】
時間期間Ｔ１，Ｔ２，Ｔ３，Ｔ４にわたって、エネルギ蓄積手段ＰＳＤによって消費されるエネルギの第２レベルＰＬＬＴ１，ＰＬＬＴ２，ＰＬＬＴ３，ＰＬＬＴ４は、夫々の時間期間の終わりにスイッチング装置ＣＯＭから知られる。従って、エネルギ蓄積手段ＰＳＤのエネルギ消費に関する情報は、この時点で制御装置ＧＷＹの手段Ｍ１へ供給され得る。
【００８６】
図３における表示に関して、（ＰＬＬＴ１，ＰＬＬＴ２，ＰＬＬＴ３，ＰＬＬＴ４）＝（５，０，０，１０）を考える。
【００８７】
有利に、スイッチング装置ＣＯＭは、夫々の時間期間Ｔ１，Ｔ２，Ｔ３，Ｔ４の終わりに、その時間期間Ｔ１，Ｔ２，Ｔ３，Ｔ４の間に少なくとも１つのクライアント装置ＤＣＬへ供給されるエネルギの第１レベルＰＲＬＴ１，ＰＲＬＴ２，ＰＲＬＴ３，ＰＲＬＴ４と、その時間期間Ｔ１，Ｔ２，Ｔ３，Ｔ４の間にオペレータＰＳＯによって供給されるエネルギ蓄積手段ＰＳＤに充電されるエネルギの第２レベルＰＬＬＴ１，ＰＬＬＴ２，ＰＬＬＴ３，ＰＬＬＴ４とを、制御装置ＧＷＹへ供給する。
【００８８】
最後に、エネルギ蓄積手段ＰＳＤ及びクライアント装置ＤＣＬを含むシステムへ供給されるエネルギのレベルＳＰＴ１，ＳＰＴ２，ＳＰＴ３，ＳＰＴ４は、時間期間Ｔ１，Ｔ２，Ｔ３，Ｔ４にわたって、（ＰＬＬＴ１＋ＰＲＬＴ１，ＰＬＬＴ２＋ＰＲＬＴ２，ＰＬＬＴ３＋ＰＲＬＴ３，ＰＬＬＴ４＋ＰＲＬＴ４）＝（２５，２０，３０，５０）に等しい。
【００８９】
従って、供給源によるエネルギの供給の実際の費用は、次の式（ＣＲＴ１，ＣＲＴ２，ＣＲＴ３，ＣＲＴ４）＝（ＳＰＴ１・ｑＴ１，ＳＰＴ２・ｑＴ２，ＳＰＴ３・ｑＴ３，ＳＰＴ４・ｑＴ４）＝（２５，２００，２５００，５００）を用いて第１費用の形で夫々の時間期間Ｔ１，Ｔ２，Ｔ３，Ｔ４の終わりに制御装置ＧＷＹの手段Ｍ４によって確立される。
【００９０】
次いで、手段Ｍ６は、本例では次の式ＳＣＲ１＝ＣＲＴ１＋ＣＲＴ２＋ＣＲＴ３＋ＣＲＴ４＝２２２５に従って第１費用ＣＲＴ１，ＣＲＴ２，ＣＲＴ３，ＣＲＴ４を合計することによって、時間周期Ｃ１の間のエネルギの供給の実際の費用ＳＣＲ１を決定する。
【００９１】
有利に、制御装置ＧＷＹは、
−夫々の時間期間Ｔ１，Ｔ２，Ｔ３，Ｔ４の間の手段Ｍ３によって考えられる蓄積手段ＰＳＤの充電の閾値の値が充電の現在の閾値ＱＴＬＴ１，ＱＴＬＴ２，ＱＴＬＴ３，ＱＴＬＴ４の値である場合に、夫々の時間期間Ｔ１，Ｔ２，Ｔ３，Ｔ４の終わりに、その時間期間Ｔ１，Ｔ２，Ｔ３，Ｔ４の間にオペレータＰＳＯによって供給される第１レベルのエネルギＰＲＬＴ１，ＰＲＬＴ２，ＰＲＬＴ３，ＰＲＬＴ４及び第２レベルのエネルギＰＬＬＴ１，ＰＬＬＴ２，ＰＬＬＴ３，ＰＬＬＴ４の和に等しいエネルギの総レベルＳＰＴ１，ＳＰＴ２，ＳＰＴ３，ＳＰＴ４の当該時間期間Ｔ１，Ｔ２，Ｔ３，Ｔ４の間のオペレータＰＳＯによる供給の第１費用ＣＲＴ１，ＣＲＴ２，ＣＲＴ３，ＣＲＴ４を評価する手段Ｍ４と、
−夫々の時間周期の終わりにその時間周期の間のオペレータＰＳＯによるエネルギの供給の実際の費用ＳＣＲ１を得るよう、当該時間周期の終わりに評価されるｍ＝４の第１費用ＣＲＴ１，ＣＲＴ２，ＣＲＴ３，ＣＲＴ４を合計する第６手段と
を有する。
【００９２】
その後の時間周期Ｃ２にオペレータＰＳＯによって供給されるエネルギの供給の勘定請求を減らすために、制御装置ＧＷＹは、
−時間周期Ｃ１の時間期間Ｔ１，Ｔ２，Ｔ３，Ｔ４の間に観測されるのと同じ、クライアント装置ＤＣＬによって消費されるエネルギのレベルＰＲＬＴ１，ＰＲＬＴ２，ＰＲＬＴ３，ＰＲＬＴ４、
−時間周期Ｃ１の間に決定されるのと同じである、時間周期Ｃ１の第１の時間期間Ｔ１の開始時のエネルギ蓄積手段ＰＳＤの充電の瞬時レベルＳＥＬＩＮＩＴ，Ｔ１
に関する仮定をすることによって、現在の時間周期Ｃ１にわたるクライアント装置ＤＣＬ及びエネルギ蓄積手段ＰＳＤのエネルギの供給のｎ＝３の架空の費用、すなわち、シミュレーションされた費用、を評価する。
【００９３】
３回の実行されるシミュレーションは、時間期間Ｔ１，Ｔ２，Ｔ３，Ｔ４のうちの１つに対応する充電の局所閾値の値が時間周期Ｃ１について実際に考えられる充電の局所閾値ＱＴＬＴ１，ＱＴＬＴ２，ＱＴＬＴ３，ＱＴＬＴ４に対して異なった場合に遭遇される状況における架空のエネルギ勘定請求の評価に対応する。
【００９４】
これを行うために、制御装置ＧＷＹは、
−夫々の時間周期Ｃ１の終わりに、時間期間Ｔ１，Ｔ２，Ｔ３，Ｔ４の間のクライアント装置ＤＣＬへオペレータＰＳＯによって供給されるエネルギのレベルが第１レベルのエネルギＰＲＬＴ１，ＰＲＬＴ２，ＰＲＬＴ３，ＰＲＬＴ４に等しいと考えることによって、当該時間周期Ｃ１の間のエネルギ蓄積手段ＰＳＤへのオペレータＰＳＯによるエネルギの供給のｎ＝３個の架空の費用ＳＣＦ１，ＳＣＦ２，ＳＣＦ３を評価する第５手段であって、第１ベクトルＶ１と３つの要素（ＴＬ１＋δ，ＴＬ２，ＴＬ３）；（ＴＬ１，ＴＬ２＋δ，ＴＬ３）；（ＴＬ１，ＴＬ２，ＴＬ３＋δ）を含む仮想の第２ベクトルＶＦ２１，ＶＦ２２１，ＶＦ２３とを含むｎ＝３の関連付け（Ｖ１，ＶＦ２１）；（Ｖ１，ＶＦ２２）；（Ｖ１，ＶＦ２３）を引き続いて考慮することによって手段Ｍ１、Ｍ２、Ｍ３の機能をシミュレーションし、δは手段Ｍ２に記憶される正の整数である第５手段と、
−夫々の時間周期の終わりにその時間周期の間のオペレータＰＳＯによるエネルギの供給の３つの架空の費用ＳＣＦ１，ＳＣＦ２，ＳＣＦ３の組を得るよう、夫々の時間期間Ｔ１，Ｔ２，Ｔ３，Ｔ４の終わりに評価される４つの第２費用（（ＣＦＴ１，１，ＣＦＴ２，１，ＣＦＴ３，１，ＣＦＴ４，１）；（ＣＦＴ１，２，ＣＦＴ２，２，ＣＦＴ３，２，ＣＦＴ４，２）；（ＣＦＴ１，３，ＣＦＴ２，３，ＣＦＴ３，３，ＣＦＴ４，３））を合計する第７手段と
を更に有する。
【００９５】
手段Ｍ５は、夫々の時間期間Ｔ１，Ｔ２，Ｔ３，Ｔ４の終わりに、エネルギの第１レベルＰＲＬＴ１，ＰＲＬＴ２，ＰＲＬＴ３，ＰＲＬＴ４に等しい当該時間期間Ｔ１，Ｔ２，Ｔ３，Ｔ４の間のクライアント装置ＤＣＬへのオペレータＰＳＯによって供給されるエネルギのレベルを考慮することによって、その時間期間Ｔ１，Ｔ２，Ｔ３，Ｔ４の間の蓄積手段ＰＳＤへのオペレータＰＳＯによるエネルギの供給のｎ＝３の第２費用（（ＣＦＴ１，１，ＣＦＴ２，１，ＣＦＴ３，１，ＣＦＴ４，１）；（ＣＦＴ１，２，ＣＦＴ２，２，ＣＦＴ３，２，ＣＦＴ４，２）；（ＣＦＴ１，３，ＣＦＴ２，３，ＣＦＴ３，３，ＣＦＴ４，３））の組を評価する。
【００９６】
手段Ｍ５によって実行される第２費用の評価は、詳細には記載されない。かかる評価は、実際には、手段Ｍ４によって行われて、単一の原ベクトルＶ２の代わりに３つの仮想の第２ベクトルＶＦ２１，ＶＦ２２，ＶＦ２３を考えることによって図３を用いて詳述される評価と同じである。手段Ｍ５によって行われる評価は、値ＴＬｉとは異なる充電の閾値が考えられる場合に、蓄積手段ＰＳＤの充電と関係がある消費がどのようであるかを明らかにすることを目的とする。
【００９７】
この時点で、制御装置ＧＷＹは、一方では、実際に請求されるエネルギの供給の費用に対応する実際の費用ＳＣＲ１を、他方では、実際に遭遇されない状況に対応する３つの架空の費用ＳＣＦ１，ＳＣＦ２，ＳＣＦ３を有する。
【００９８】
制御装置ＧＷＹは、
−実際の費用ＳＣＲ１の値と３つの架空の費用ＳＣＦ１，ＳＣＦ２，ＳＣＦ３の値とを比較する手段Ｍ８
を更に有する。
【００９９】
有利に、手段Ｍ２は、
−手段Ｍ８によって決定された更新を受け取る手段と、
−架空の費用ＳＣＦｉの値が実際の費用ＳＣＲ１の値よりも小さい場合に、手段Ｍ１に記憶された第２ベクトルＶ２のｉ番目の要素へ値ＴＬｉ＋δを割り当てる手段と、
−架空の費用ＳＣＦｉの値が実際の費用ＳＣＲ１の値よりも大きい場合に、手段Ｍ１に記憶された第２ベクトルＶ２のｉ番目の要素へ値ＴＬｉ−δを割り当てる手段と
を有する。
【０１００】
よって、実際の費用ＳＣＲ１と架空の費用の１つＳＣＲｉとの間の比較の１つが、現在の値ＴＬｉよりも大きい値ＴＬｉ＋δのエネルギ蓄積手段ＰＳＤの充電の閾値を考慮することによって、まさに終わった時間周期にわたってエネルギの供給のための勘定請求がより低かったであろうことを示すことを可能にするとき、値ＴＬｉ＋δが充電の閾値に割り当てられる。
【０１０１】
図４は、次のような状況を示す。
【０１０２】
−ＳＣＦ３が時間周期Ｃ１の終わりにＳＣＲ１よりも小さい値を有し、結果として充電の閾値の値ＴＬ３は変更される。これは、本場合において、その後の周期Ｃ２の時間期間Ｔ１’について、値δの、充電の閾値の値における増大をもたらす。
【０１０３】
−ＳＣＦ２が時間周期Ｃ１の終わりにＳＣＲ１よりも小さく、結果として、充電の閾値の値ＴＬ２は変更される。これは、本場合において、その後の周期Ｃ２の時間期間Ｔ２’及びＴ４’について、値δの、充電の閾値の値における増大をもたらす。
【０１０４】
図６ａは、クライアント装置ＤＣＬがエネルギを必要とする設定モードの使用の範囲の、本発明の第１実施形態に対応する、表示である。
【０１０５】
充電の単一の閾値ＱＴＬＴ１は、時間期間Ｔ１の間にオペレータＰＳＯによって供給されるエネルギの価格ｑＴ１に関連付けられる。
【０１０６】
充電の瞬時レベルＳＥＬがＱＴＬＴ１よりも低い場合に、制御装置ＧＷＹによって決定される設定モードは第２モードである。
【０１０７】
充電の瞬時レベルＳＥＬがＱＴＬＴ１よりも高い場合に、制御装置ＧＷＹによって決定される設定モードは第１モードである。
【０１０８】
充電の瞬時レベルＳＥＬがＱＴＬＴ１に等しい場合に、制御装置ＧＷＹによって決定される設定モードは第３モードである。
【０１０９】
［充電の２つの閾値ＬＴＬｉ及びＨＴＬｉがオペレータＰＳＯによって供給されるエネルギの価格ｐｉに関連付けられる本発明の第２実施形態に関する記載］
この第２実施形態の詳細な説明は、本明細書の前の部分において与えられたものと非常に類似する。何が第１実施形態及び第２実施形態を区別するのかを特定するために、図７に示される本発明の第２実施形態のフローチャートが用いられる。
【０１１０】
第１の相違は、制御装置ＧＷＹが、ステップＳ２．１において、単一の第２ベクトルＶ２よりむしろ第１及び第２の第２ベクトルＶ２Ｌ，Ｖ２Ｈを決定することである。
【０１１１】
第１の第２ベクトルＶ２Ｌはｎ個の要素（ＬＴＬ１，・・・，ＬＴＬｉ，・・・，ＬＴＬｎ）を有する。第２の第２ベクトルＶ２Ｈはｎ個の要素（ＨＴＬ１，・・・ＨＴＬｉ，・・・，ＨＴＬｎ）を有する。ここで、ＬＴＬｉ＜ＨＴＬｉである。
【０１１２】
その後、図７に示されるステップＳ２．２で、制御装置ＧＷＹの手段Ｍ２は、夫々の時間期間Ｔ１，Ｔ２，Ｔ３，Ｔ４に関連する蓄積手段ＰＳＤの充電の第１及び第２の現在の閾値（ＱＬＴＬＴ１，・・・，ＱＬＴＬＴｊ，・・・，ＱＬＴＬＴｍ），（ＱＨＴＬＴ１，・・・，ＱＨＴＬＴｊ，・・・，ＱＨＴＬＴｍ）を決定する。
【０１１３】
１からｍの間に含まれるいずれのｊについても、ＱＬＴＬＴｊはＱＨＴＬＴｊよりも小さい。
【０１１４】
本発明の第１実施形態において、このステップＳ２．２は、夫々の時間期間Ｔ１，・・・，Ｔｊ，・・・，Ｔｍに関連する蓄積手段ＰＳＤの充電の単一の閾値（ＱＴＬＴ１，・・・，ＱＴＬＴｊ，・・・，ＱＴＬＴｍ）を決定することを目的とする。
【０１１５】
続くステップＳ３．２で、制御装置ＧＷＹの手段Ｍ２は、時間期間Ｔｊの開始時に蓄積手段ＰＳＤに蓄積されるエネルギの瞬時レベルＳＥＬＩＮＩＴ，Ｔ１と、夫々の時間期間Ｔｊに関連する蓄積手段ＰＳＤの充電の第１及び第２の現在の閾値ＱＬＴＬＴｊ、ＱＨＴＬＴｊとの間の比較から、局所閾値ＱＴＬＴｊを決定する。図６（ｂ）は、局所閾値ＱＴＬＴｊのこの決定を示す。
【０１１６】
充電の第１及び第２の閾値（ＱＬＴＬＴ１，ＱＨＴＬＴ１；なお、ＱＬＴＬＴ１＜ＱＨＴＬＴ１）は、期間Ｔ１の間に供給されるエネルギの価格に関連付けられる。
【０１１７】
時間期間の開始時に蓄積手段ＰＳＤに蓄積されるエネルギの瞬時レベルＳＥＬＩＮＩＴ，Ｔ１がＱＬＴＬＴ１よりも低い場合に、制御装置ＧＷＹによって決定される局所閾値ＱＴＬＴ１は充電の第１の閾値ＱＬＴＬＴ１である。
【０１１８】
瞬時レベルＳＥＬＩＮＩＴ，Ｔ１がＱＨＴＬＴ１よりも高い場合に、制御装置ＧＷＹによって決定される局所閾値ＱＴＬＴ１は充電の第２の閾値ＱＨＴＬＴ１である。
【０１１９】
最後に、充電の瞬時レベルＳＥＬＩＮＩＴ，Ｔ１がＱＬＴＬＴ１以上且つＱＨＴＬＴ１以下である場合に、制御装置ＧＷＹによって決定される局所閾値ＱＴＬＴ１は瞬時レベルＳＥＬＩＮＩＴ，Ｔ１である。
【０１２０】
ステップＳ３．３は、本発明の第１実施形態及び第２実施形態について同じである。クライアント装置ＤＣＬが期間全体にわたってエネルギを必要とするとき、このステップは設定モードの多くても２回の変更を生じさせうる。時間期間Ｔｊにおいて、制御装置ＧＷＹはその時間期間Ｔｊの間に引き続いてスイッチング装置ＣＯＭに対して第２モードを、次いで第３モードを、又は第１モードを、次いで第３モードを割り当てることができる。
【０１２１】
エネルギの総レベルＳＰＴ１，・・・，ＳＰＴｊ，・・・，ＳＰＴｍのオペレータＰＳＯによる供給の実際の費用ＳＣＲ１を評価するステップＳ４は、本発明の第１実施形態及び第２実施形態について同じである。
【０１２２】
架空の費用の評価に関するステップＳ５は、本発明の第１実施形態及び第２実施形態について異なる。以下の段落はこの相違を示す。
【０１２３】
第１の相違は、評価される架空の費用の数である。すなわち、第２の実施形態では２ｎであるところ、第１実施形態ではｎである。
【０１２４】
２ｎ個の架空の費用ＳＣＬＦ１，・・・，ＳＣＬＦｉ，・・・，ＳＣＬＦｎ，ＳＣＨＦ１，・・・，ＳＣＨＦｉ，・・・，ＳＣＨＦｎは、クライアント装置ＤＣＬ及びエネルギ蓄積手段ＰＳＤへのオペレータＰＳＯによるエネルギの供給の費用について制御装置ＧＷＹによって実行される２ｎ回のシミュレーションから得られる。
【０１２５】
このようなシミュレーションを行うためになされる仮定は次のとおりである：
１．第１の時間期間Ｔ１の開始時のエネルギの瞬時レベルＳＥＬＩＮＩＴ，Ｔ１は、全てのシミュレーションについて、この時点で実際に測定される値と同じである。値ＳＥＬＩＮＩＴ，Ｔ１は、このために、時間周期の間記憶されている。
【０１２６】
２．夫々の時間期間Ｔ１，・・・，Ｔｊ，・・・，Ｔｍの間にクライアント装置ＤＣＬへオペレータＰＳＯによって供給されるエネルギのレベルは、エネルギの第１レベルＰＲＬＴ１，・・・，ＰＲＬＴｊ，・・・，ＰＲＬＴｍに等しい。
【０１２７】
上記の最初の２つの仮定はまた、本発明の第１実施形態についてもなされる。
【０１２８】
ステップＳ５で、手段Ｍ５は、引き続いて第１ベクトルＶ１と仮想の第２ベクトルＶＬＦ２ｉ，ＶＨＦ２ｉを含む２ｎ個の関連付け（Ｖ１，ＶＬＦ２ｉ，ＶＬＦ２ｉ），（Ｖ１，ＶＨＦ２ｉ，ＶＨＦ２ｉ）を考慮することによって、手段Ｍ１、Ｍ２、Ｍ３３の機能をシミュレーションする。ここで、仮想の第２ベクトルＶＬＦ２ｉはｎ個の要素ＬＴＬ１，・・・，ＬＴＬｉ＋δ，・・・，ＬＴＬｎを有し、仮想の第２ベクトルＶＨＦ２ｉはｎ個の要素ＨＴＬ１，・・・，ＨＴＬｉ＋δ，・・・，ＨＴＬｎを有し、δは手段Ｍ２に記憶される正の整数である。
【０１２９】
このステップは、本発明の第１実施形態で実施されるステップに類似する。すなわち、第２実施形態では、それは、２ｎ個の架空の費用を得るよう二度実施される。
【０１３０】
上記の本発明の異なる実施形態の主たる利点は、エネルギの消費の時間に関係がある制約から、すなわち、住宅設備の起動の時間に関係がある制約から居住者を自由にしながら、その実施形態を備えた住戸のためのエネルギの供給に係る勘定請求の額を減らすことである。特に、本発明のそれらの実施形態は、住宅設備、例えば洗濯機、オーブンレンジ、又は他における起動プログラミングシステムの必要性をなくす。これは、購入価格の低減及びより良い信頼性をもたらすことができる。
【０１３１】
それらの実施形態はまた、エネルギ生成手段の必要性を減らすという利点も有する。エネルギの生成に関与するオペレータは、そのエネルギ生成手段の規模を、最大エネルギ供給要件の推定から決めなければならない。記載される実施形態は、料金奨励を用いてエネルギ供給時間を平滑化することができ、これは、エネルギ消費ピークのレベルを下げる結果につながる。
【０１３２】
それらの実施形態の第３の利点は、個人の住戸の家庭内電気ネットワークにおけるそれらの展開の容易さにある。本発明の実施形態は、本質的に、エネルギ蓄積手段ＰＳＤ、スイッチング装置ＣＯＭ及び制御装置ＧＷＹを有する又は実施する。先に述べたように、住戸がそのようなエネルギ蓄積手段ＰＳＤを有することが最近ますます一般的であり、将来的に、かかる手段の存在は電気自動車の発展に関連して恐らく急速に増えるであろう。スイッチング装置ＣＯＭは、例えばスマートグリッドにおおて、あるいはエネルギ蓄積手段ＰＳＤで、局所的エネルギネットワークに至るエネルギの経路に容易に組み込むことができる設定可能なスイッチ機能を提供する。スイッチング装置ＣＯＭのモードを設定する制御装置ＧＷＹは、例えば、情報を記憶する手段及び計算手段を有する住戸の局所通信ネットワークのアクセスゲートウェイに、又は同じスマートグリッドに、組み込まれ得る。
【０１３３】
この実施形態の他の利点は、上述されたその自動且つ適応可能な性質に由来する。
【０１３４】
最後に、この実施形態の他の利点は、エネルギ供給オペレータが行うであろう侵害的な監視から個人の消費者の私生活を守る能力である。実際に、新しいスマートグリッドは、それを備えた住戸に供給されるエネルギのレベルに関して実時間で報告を供給するよう構成される。局所ネットワークの機器の起動時間と、エネルギが局所ネットワークへ供給される時間とを無相関とすることによって、実施形態は、住戸の居住者のライフスタイルに関する情報の一部をオペレータから隠す。例えば、それは、エネルギ蓄積手段の充電のレベルを増大させつつ局所ネットワークの装置の消費に応答しないことがこのエネルギ供給の目的であるから、住戸の電気エネルギの供給に関する情報の単一項目に基づき個人の住戸における人の存在を検出することを不可能にする。
【０１３５】
充電の第１及び第２の閾値の存在は、クライアント装置ＤＣＬがオペレータによって直接に損失なしに給電される状況を優先することを可能にするので、本発明の第２実施形態は、エネルギ蓄積手段ＰＳＤが（エネルギを蓄積するために及び／又はそれを回復するために）１００％よりも低い効率を有する状況にうまく適合する。しかし、それは、架空の価格のｎ回の評価及び価格のｎ回の比較しか第１の実施形態について必要でない場合に、架空の価格の２ｎ回の評価及び価格の２ｎ回の比較を必要とするので、計算の数に関してより費用がかかるという欠点を有する。
【０１３６】
有利に、手段Ｍ３は、
−クライアント装置ＤＣＬがエネルギを必要とし且つエネルギの瞬時レベルＳＥＬが局所閾値ＱＴＬＴ１，・・・，ＱＴＬＴｊ，・・・，ＱＴＬＴｍよりも大きい場合に、エネルギ蓄積手段ＰＳＤがクライアント装置ＤＣＬへエネルギを供給する第１設定モードにスイッチング装置ＣＯＭを置く手段と、
−クライアント装置ＤＣＬがエネルギを必要とし且つエネルギの瞬時レベルＳＥＬが局所閾値ＱＴＬＴ１，・・・，ＱＴＬＴｊ，・・・，ＱＴＬＴｍよりも小さい場合に、オペレータＰＳＯがクライアント装置ＤＣＬへ及びエネルギ蓄積手段ＰＳＤへ同時にエネルギを供給する第２設定モードにスイッチング装置ＣＯＭを置く手段と、
−クライアント装置ＤＣＬがエネルギを必要とし且つエネルギの瞬時レベルＳＥＬが局所閾値ＱＴＬＴ１，・・・，ＱＴＬＴｊ，・・・，ＱＴＬＴｍに等しい場合に、オペレータＰＳＯがクライアント装置ＤＣＬへのみエネルギを供給する第３設定モードにスイッチング装置ＣＯＭを置く手段と
を有する。
【０１３７】
有利に、手段Ｍ２は、
−オペレータから料金表ｑＴ１，・・・，ｑＴｊ，・・・，ｑＴｍを受け取る手段と、
−夫々の時間周期Ｃ１，Ｃ２の開始時に、料金表ｑＴ１，・・・，ｑＴｊ，・・・，ｑＴｍからの第１ベクトルＶ１の要素ｐ１，・・・，ｐｉ，・・・，ｐｎの値及び第２ベクトルＶ２Ｌ，Ｖ２Ｈの要素ＬＴＬ１，・・・，ＬＴＬｉ，・・・，ＬＴＬｎ，ＨＴＬ１，・・・，ＨＴＬｉ，・・・，ＨＴＬｎの値を、
○第１ベクトルＶ１の全ての要素ｐ１，・・・，ｐｉ，・・・，ｐｎの値が前の時間周期に対して又は第１の時間周期Ｃ１の間に変更される場合に、第２ベクトルＶ２Ｌ，Ｖ２Ｈの要素の値の初期化によって、
○第１ベクトルＶ１のｉ番目の要素ｐｉの値が前の時間周期に対して変更される場合に、第２ベクトルＶ２Ｌ，Ｖ２Ｈのｉ番目の要素ＬＴＬｉ，ＨＴＬｉへの第２ベクトルＶ２Ｌ，Ｖ２Ｈのｉ−１番目の要素ＬＴＬｉ−１，ＨＴＬｉ−１の値の割り当てによって、
○第１ベクトルＶ１の全ての要素ｐ１，・・・，ｐｉ，・・・，ｐｎの値が前の時間周期に対して不変である場合に、第２ベクトルＶ２Ｌ，Ｖ２Ｈの要素の値の更新によって、
評価する手段と
を有する。
【０１３８】
有利に、制御装置ＧＷＹは、
−夫々の時間期間Ｔ１，・・・，Ｔｊ，・・・，Ｔｍの終わりに、第１レベルのエネルギＰＲＬＴ１，・・・，ＰＲＬＴｊ，・・・，ＰＲＬＴｍと第２レベルのエネルギＰＬＬＴ１，・・・，ＰＬＬＴｊ，・・・，ＰＬＬＴｍとの和に等しいエネルギの総レベルＳＰＴ１，・・・，ＳＰＴｊ，・・・，ＳＰＴｍの当該時間期間Ｔ１，・・・，Ｔｊ，・・・，Ｔｍの間のオペレータＰＳＯによる供給の第１費用ＣＲＴ１，・・・，ＣＲＴｊ，・・・，ＣＲＴｍを評価する手段Ｍ４と、
−第１レベルのエネルギＰＲＬＴ１，・・・，ＰＲＬＴｊ，・・・，ＰＲＬＴｍに等しい時間期間Ｔ１，・・・，Ｔｊ，・・・，Ｔｍの間のクライアント装置ＤＣＬへオペレータＰＳＯによって供給されるエネルギのレベルを考慮することによって、時間期間Ｔ１，・・・，Ｔｊ，・・・，Ｔｍの間のエネルギ蓄積手段ＰＳＤへのオペレータＰＳＯによるエネルギの供給のｎ個の第２費用の２つの組（ＣＬＦＴ１，１，・・・，ＣＬＦＴ１，ｉ，・・・，ＣＬＦＴ１，ｎ），・・・，（ＣＬＦＴｊ，１，・・・，ＣＬＦＴｊ，ｉ，・・・，ＣＬＦＴｊ，ｎ），・・・，（ＣＬＦＴｍ，１，・・・，ＣＬＦＴｍ，ｉ，・・・，ＣＬＦＴｍ，ｎ），（ＣＨＦＴ１，１，・・・，ＣＨＦＴ１，ｉ，・・・，ＣＨＦＴ１，ｎ），・・・，（ＣＨＦＴｊ，１，・・・，ＣＨＦＴｊ，ｉ，・・・，ＣＨＦＴｊ，ｎ），・・・，（ＣＨＦＴｍ，１，・・・，ＣＨＦＴｍ，ｉ，・・・，ＣＨＦＴｍ，ｎ）を評価する手段Ｍ５であって、第１ベクトルＶ１及び仮想の第２ベクトルＶＬＦ２ｉ，ＶＨＦ２ｉを含む２ｎ個の関連付け（Ｖ１，ＶＬＦ２ｉ，ＶＬＦ２ｉ），（Ｖ１，ＶＨＦ２ｉ，ＶＨＦ２ｉ）を引き続いて考慮することによって手段Ｍ１、Ｍ２、Ｍ３の機能をシミュレーションし、仮想の第２ベクトルＶＬＦ２ｉはｎ個の要素ＬＴＬ１，・・・，ＬＴＬｉ＋δ，・・・，ＬＴＬｎを有し、仮想の第２ベクトルＶＨＦ２ｉはｎ個の要素ＨＴＬ１，・・・，ＨＴＬｉ＋δ，・・・，ＨＴＬｎを有し、δは手段Ｍ２に記憶される正の整数である手段Ｍ５と、
−夫々の時間周期の間のオペレータＰＳＯによるエネルギの供給の実際の費用ＳＣＲ１を得るよう、当該時間周期の終わりに評価されるｍ個の第１費用ＣＲＴ１，・・・，ＣＲＴｊ，・・・，ＣＲＴｍを合計する手段Ｍ６と、
−夫々の時間周期の間のオペレータＰＳＯによるエネルギの供給のｎ個の架空の費用の少なくとも２つの組（ＳＣＬＦ１，・・・ＳＣＬＦｉ，・・・，ＳＣＬＦｎ），（ＳＣＨＦ１，・・・，ＳＣＨＦｉ，・・・，ＳＣＨＦｎ）を得るよう、当該時間周期の終わりに評価されるｍ個の第２費用（ＣＬＦＴ１，１，・・・，ＣＬＦＴ１，ｉ，・・・，ＣＬＦＴ１，ｎ），・・・，（ＣＬＦＴｊ，１，・・・，ＣＬＦＴｊ，ｉ，・・・，ＣＬＦＴｊ，ｎ），・・・，（ＣＬＦＴｍ，１，・・・，ＣＬＦＴｍ，ｉ，・・・，ＣＬＦＴｍ，ｎ），（ＣＨＦＴ１，１，・・・，ＣＨＦＴ１，ｉ，・・・，ＣＨＦＴ１，ｎ），・・・，（ＣＨＦＴｊ，１，・・・，ＣＨＦＴｊ，ｉ，・・・，ＣＨＦＴｊ，ｎ），・・・，（ＣＨＦＴｍ，１，・・・，ＣＨＦＴｍ，ｉ，・・・，ＣＨＦＴｍ，ｎ）を合計する手段Ｍ７と、
−時間周期の終わりに実際の費用ＳＣＲ１の値と架空の費用（ＳＣＬＦ１，・・・ＳＣＬＦｉ，・・・，ＳＣＬＦｎ），（ＳＣＨＦ１，・・・，ＳＣＨＦｉ，・・・，ＳＣＨＦｎ）の夫々の値とを比較し、該比較の結果（ＲＥＳＬ１，・・・，ＲＥＳＬｉ，・・・，ＲＥＳＬｎ），（ＲＥＳＨ１，・・・，ＲＥＳＨｉ，・・・，ＲＥＳＨｎ）を供給する手段Ｍ８と
を更に有する。
【０１３９】
有利に、手段Ｍ２は、
−手段Ｍ８によって供給される比較の結果を受け取る手段と、
−架空の費用ＳＣＬＦｉ，ＳＣＨＦｉの値が実際の費用ＳＣＲ１の値よりも安いと結果ＲＥＳＬｉ，ＲＥＳＨｉが証明するとき、手段Ｍ１に記憶される第２ベクトルＶ２Ｌ，Ｖ２Ｈのｉ番目の要素の値へ値δを加える手段と、
−架空の費用ＳＣＬＦｉ，ＳＣＨＦｉの値が実際の費用ＳＣＲ１の値よりも高いと結果ＲＥＳＬｉ，ＲＥＳＨｉが証明するとき、手段Ｍ１に記憶される第２ベクトルＶ２Ｌ，Ｖ２Ｈのｉ番目の要素の値から値δを減じる手段と
を更に有する。
【０１４０】
有利に、手段Ｍ３は、
−クライアント装置ＤＣＬがエネルギを必要としない場合に、エネルギの瞬時レベルＳＥＬが局所閾値ＱＴＬＴ１，・・・，ＱＴＬＴｊ，・・・，ＱＴＬＴｍよりも小さい間、オペレータＰＳＯがエネルギ蓄積手段ＰＳＤへのみエネルギを供給する第４モードにスイッチング装置ＣＯＭを置く手段と、
−クライアント装置ＤＣＬがエネルギを必要とせず且つエネルギの瞬時レベルＳＥＬが局所閾値ＱＴＬＴ１，・・・，ＱＴＬＴｊ，・・・，ＱＴＬＴｍよりも大きいか又はそれに等しい場合に、オペレータＰＳＯがクライアント装置ＤＣＬへ及びエネルギ蓄積手段ＰＳＤへエネルギを供給しない第５モードにスイッチング装置ＣＯＭを置く手段と
を更に有する。
【０１４１】
本発明は２つの特定の実施形態に関連して記載されてきたが、それは全く制限されず、記載される手段の技術的に等価なもの及びそれらの組み合わせの全てを、それらが本発明の適用範囲内にある限り包含することは明らかである。  
上記の実施形態に加えて、以下の付記を開示する。
（付記１）
局所的エネルギ輸送網へ接続されるクライアント装置のエネルギの供給を管理するシステムであって、前記局所的エネルギ輸送網へ接続されるスイッチング装置を有し、前記クライアント装置は前記スイッチング装置を介してエネルギを供給されることができ、
オペレータは、２以上の数ｍの連続する時間期間（Ｔ１，・・・，Ｔｊ，・・・，Ｔｍ）に夫々分けられた連続する時間周期（Ｃ１，Ｃ２）に時間が分解される料金表（ｑＴ１，・・・，ｑＴｊ，・・・，ｑＴｍ）に従い前記局所的エネルギ輸送網へエネルギを供給し、該エネルギは、前記連続する時間期間の夫々の間に当該時間期間に対応する値段で勘定請求され、
当該システムは、前記スイッチング装置を介して前記局所的エネルギ輸送網へ接続されるエネルギ蓄積手段を有する、システムにおいて、
前記スイッチング装置は、
前記エネルギ蓄積手段が前記クライアント装置へエネルギを供給する第１設定モード、又は
前記オペレータが前記クライアント装置へ及び前記エネルギ蓄積手段へ同時にエネルギを供給する第２設定モード、又は
前記オペレータが前記クライアント装置にのみエネルギを供給する第３設定モード
に従って構成可能であり、
当該システムは、前記エネルギ蓄積手段に蓄積されるエネルギの瞬時レベル（ＳＥＬ）と夫々の時間期間（Ｔ１，・・・，Ｔｊ，・・・，Ｔｍ）に関連する前記エネルギ蓄積手段の充電の局所閾値（ＱＴＬＴ１，・・・，ＱＴＬＴｊ，・・・，ＱＴＬＴｍ）とを比較する手段と、前記比較の結果に従って前記第１設定モード、前記第２設定モード及び前記第３設定モードの中から設定モードを決定して前記スイッチング装置へ割り当てる手段とを有する制御装置を更に有する、システム。
（付記２）
前記制御装置は、前記時間期間（Ｔｊ）の開始時に前記エネルギ蓄積手段に蓄積されるエネルギの瞬時レベル（ＳＥＬＩＮＩＴ，Ｔｊ）と夫々の時間期間（Ｔｊ）に関連する前記エネルギ蓄積手段の充電の第１及び第２の現在の閾値（ＱＬＴＬＴｊ，ＱＨＴＬＴｊ）とを比較する手段と、前記比較の結果から前記局所閾値（ＱＴＬＴｊ）を決定する手段とを有する、
付記１に記載のシステム。
（付記３）
前記設定モードを決定して前記スイッチング装置へ割り当てる手段は、前記クライアント装置がエネルギを必要とするとき、
前記エネルギの瞬時レベル（ＳＥＬ）が前記局所閾値（ＱＴＬＴ１，・・・，ＱＴＬＴｊ，・・・，ＱＴＬＴｍ）よりも完全に大きい場合に前記第１設定モードを、
前記エネルギの瞬時レベル（ＳＥＬ）が前記局所閾値（ＱＴＬＴ１，・・・，ＱＴＬＴｊ，・・・，ＱＴＬＴｍ）よりも完全に小さい場合に前記第２設定モードを、
前記エネルギの瞬時レベル（ＳＥＬ）が前記局所閾値（ＱＴＬＴ１，・・・，ＱＴＬＴｊ，・・・，ＱＴＬＴｍ）に等しい場合に前記第３設定モードを
決定して前記スイッチング装置へ割り当てることができる、
付記１又は２に記載のシステム。
（付記４）
前記スイッチング装置は、夫々の時間期間（Ｔ１，・・・，Ｔｊ，・・・，Ｔｍ）の終わりに前記制御装置へ、当該時間期間（Ｔ１，・・・，Ｔｊ，・・・，Ｔｍ）の間の前記クライアント装置へ前記オペレータによって供給される第１レベルのエネルギ（ＰＲＬＴ１，・・・，ＰＲＬＴｊ，・・・，ＰＲＬＴｍ）及び前記エネルギ蓄積手段へ前記オペレータによって供給される第２レベルのエネルギ（ＰＬＬＴ１，・・・，ＰＬＬＴｊ，・・・，ＰＬＬＴｍ）を供給することができる、
付記１乃至３のうちいずれか一つに記載のシステム。
（付記５）
前記制御装置は、昇順に従って分類される料金表（ｑＴ１，・・・，ｑＴｊ，・・・，ｑＴｍ）のエネルギ価格に対応するｎ個の要素（ｐ１，・・・，ｐｉ，・・・ｐｎ）の第１ベクトル（Ｖ１）と、前記エネルギ価格（ｐ１，・・・，ｐｉ，・・・ｐｎ）に関連する前記エネルギ蓄積手段の充電の閾値であるｎ個の要素（（ＬＴＬ１，・・・，ＬＴＬｉ，・・・，ＬＴＬｎ），（ＨＴＬ１，・・・，ＨＴＬｉ，・・・，ＨＴＬｎ））の２つの第２ベクトル（Ｖ２Ｌ，Ｖ２Ｈ）とを決定するよう構成され、ｉは１からｎの間に含まれる整数であり、前記制御装置は更に、前記第１ベクトル（Ｖ１）及び前記第２ベクトル（Ｖ２Ｌ，Ｖ２Ｈ）から並びに前記料金表（ｑＴ１，・・・，ｑＴｊ，・・・，ｑＴｍ）から前記第１及び第２の現在の閾値（（ＱＬＴＬＴ１，・・・，ＱＬＴＬＴｊ，・・・ＱＬＴＬＴｍ），（ＱＨＴＬＴ１，・・・，ＱＨＴＬＴｊ，・・・，ＱＨＴＬＴｍ））を決定するよう構成される、
付記１乃至４のうちいずれか一つに記載のシステム。
（付記６）
前記制御装置は、前記第１レベルのエネルギ（ＰＲＬＴ１，・・・，ＰＲＬＴｊ，・・・，ＰＲＬＴｍ）に等しい前記時間期間（Ｔ１，・・・，Ｔｊ，・・・，Ｔｍ）の間に前記クライアント装置へ前記オペレータによって供給されるエネルギのレベルを考慮することによって及び、前記第１ベクトル（Ｖ１）と仮想の第２ベクトル（ＶＬＦ２ｉ，ＶＨＦ２ｉ）とを含む２ｎ個の関連付け（（Ｖ１，Ｖ２ＬＦ２ｉ，Ｖ２ＬＦ２ｉ），（Ｖ１，Ｖ２ＨＦ２ｉ，Ｖ２ＨＦ２ｉ））を引き続いて考慮することによって、夫々の時間周期の終わりに、エネルギの総レベル（ＳＰＴ１，・・・ＳＰＴｊ，・・・，ＳＰＴｍ）の前記オペレータによる供給の実際の費用（ＳＣＲ１）と２ｎ個の架空の費用（（ＳＣＬＦ１，・・・，ＳＣＬＦｉ，・・・ＳＣＬＦｎ），（ＳＣＨＦ１，・・・，ＳＣＨＦｉ，・・・，ＳＣＨＦｎ））との間の比較の結果から前記２つの第２ベクトル（Ｖ２Ｌ，Ｖ２Ｈ）の要素（（ＬＴＬ１，・・・，ＬＴＬｉ，・・・，ＬＴＬｎ），（ＨＴＬ１，・・・，ＨＴＬｉ，・・・，ＨＴＬｎ））の値を更新する手段を有し、前記総レベル（ＳＰＴ１，・・・ＳＰＴｊ，・・・，ＳＰＴｍ）は、前記時間期間（Ｔ１，・・・，Ｔｊ，・・・，Ｔｍ）の間の前記第１レベルのエネルギ（ＰＲＬＴ１，・・・，ＰＲＬＴｊ，・・・，ＰＲＬＴｍ）と前記第２レベルのエネルギ（ＰＬＬＴ１，・・・，ＰＬＬＴｊ，・・・，ＰＬＬＴｍ）との和に等しく、前記架空の費用（（ＳＣＬＦ１，・・・，ＳＣＬＦｉ，・・・ＳＣＬＦｎ），（ＳＣＨＦ１，・・・，ＳＣＨＦｉ，・・・，ＳＣＨＦｎ））は、当該システムへの前記オペレータによるエネルギの供給の費用の前記制御装置によって実行される２ｎ回のシミュレーションから得られ、前記仮想の第２ベクトルの１つ（ＶＬＦ２ｉ）はｎ個の要素（ＬＴＬ１，・・・，ＬＴＬｉ＋δ，・・・，ＬＴＬｎ）を有し、前記仮想の第２ベクトルの他（ＶＨＦ２ｉ）はｎ個の要素（ＨＴＬ１，・・・，ＨＴＬｉ＋δ，・・・，ＨＴＬｎ）を有し、δは前記制御装置に記憶される正の整数である、
付記５に記載のシステム。
（付記７）
前記スイッチング装置は更に、
前記オペレータが前記エネルギ蓄積手段へのみエネルギを供給する第４モード、
前記オペレータが当該システムへエネルギを供給しない第５モード
に従って構成可能であり、
前記クライアント装置がエネルギを必要としないとき、前記設定モードを決定して前記スイッチング装置へ割り当てる手段は、
前記エネルギの瞬時レベル（ＳＥＬ）が前記局所閾値（ＱＴＬＴ１，・・・，ＱＴＬＴｊ，・・・，ＱＴＬＴｍ）よりも完全に小さい場合に前記第４モードを、
前記エネルギの瞬時レベル（ＳＥＬ）が前記局所閾値（ＱＴＬＴ１，・・・，ＱＴＬＴｊ，・・・，ＱＴＬＴｍ）よりも大きいか又は該局所閾値に等しい場合に前記第５モードを
決定して前記スイッチング装置へ割り当てることができる、
付記１乃至６のうちいずれか一つに記載のシステム。
（付記８）
局所的エネルギ輸送網へ接続されるクライアント装置のエネルギの供給を管理するシステムのための制御装置であって、前記クライアント装置は、前記局所的エネルギ輸送網へ接続されるスイッチング装置を介してエネルギを供給されることが可能であり、オペレータは、２以上の数ｍの連続する時間期間（Ｔ１，・・・，Ｔｊ，・・・，Ｔｍ）に夫々分けられた連続する時間周期（Ｃ１，Ｃ２）に時間が分解される料金表（ｑＴ１，・・・，ｑＴｊ，・・・，ｑＴｍ）に従い前記局所的エネルギ輸送網へエネルギを供給し、該エネルギが前記連続する時間期間の夫々の間に当該時間期間に対応する値段で勘定請求される、制御装置において、
夫々の時間期間（Ｔ１，・・・，Ｔｊ，・・・，Ｔｍ）の終わりに、当該時間期間（Ｔ１，・・・，Ｔｊ，・・・，Ｔｍ）の間の前記クライアント装置へ前記オペレータによって供給される第１レベルのエネルギ（ＰＲＬＴ１，・・・，ＰＲＬＴｊ，・・・，ＰＲＬＴｍ）及び前記エネルギ蓄積手段へ前記オペレータによって供給される第２レベルのエネルギ（ＰＬＬＴ１，・・・，ＰＬＬＴｊ，・・・，ＰＬＬＴｍ）を前記スイッチング装置から受け取る第１手段と、
昇順に従って分類される前記料金表（ｑＴ１，・・・，ｑＴｊ，・・・，ｑＴｍ）のエネルギ価格に対応するｎ個の要素（ｐ１，・・・，ｐｉ，・・・，ｐｎ）の第１ベクトル（Ｖ１）と、前記エネルギ価格（ｐ１，・・・，ｐｉ，・・・，ｐｎ）に関連する前記エネルギ蓄積手段の充電の閾値であるｎ個の要素（（ＬＴＬ１，・・・，ＬＴＬｉ，・・・，ＬＴＬｎ），（ＨＴＬ１，・・・，ＨＴＬｉ，・・・，ＨＴＬｎ））を夫々含む２つの第２ベクトル（Ｖ２Ｌ，Ｖ２Ｈ）との関連付けを有し、ｉは１からｎの間に含まれる整数である第２手段であって、前記関連付け（Ｖ１，Ｖ２Ｌ，Ｖ２Ｈ）から及び前記料金表（ｑＴ１，・・・，ｑＴｊ，・・・，ｑＴｍ）から充電の第１及び第２の現在の閾値（（ＱＬＴＬＴ１，・・・，ＱＬＴＬＴｊ，・・・，ＱＬＴＬＴｍ），（ＱＨＴＬＴ１，・・・，ＱＨＴＬＴｊ，・・・，ＱＨＴＬＴｍ））を決定するよう更に構成され、前記時間期間（Ｔｊ）の開始時に前記エネルギ蓄積手段に蓄積されるエネルギの瞬時レベル（ＳＥＬＩＮＩＴ，Ｔｊ）と前記時間期間（Ｔｊ）に関連する前記第１及び第２の現在の閾値（ＱＬＴＬＴｊ，ＱＨＴＬＴｊ）との間の比較から前記エネルギ蓄積手段の充電の局所閾値（ＱＴＬＴ１，・・・，ＱＴＬＴｊ，・・・，ＱＴＬＴｍ）を決定するよう更に構成される第２手段と、
第３手段と
を有し、
前記第３手段は、該第３手段が前記エネルギ蓄積手段から実時間で受け取ることができる瞬時レベル（ＳＥＬ）と、前記時間期間（Ｔ１，・・・，Ｔｊ，・・・，Ｔｍ）に関連する前記局所閾値（ＱＴＬＴ１，・・・，ＱＴＬＴｊ，・・・，ＱＴＬＴｍ）の値との間の比較に基づき、前記スイッチング装置に対して設定モードを実時間で決定して割り当てる、
ことを特徴とする制御装置。
（付記９）
前記第３手段は、
前記クライアント装置がエネルギを必要とし且つ前記エネルギの瞬時レベル（ＳＥＬ）が前記局所閾値（ＱＴＬＴ１，・・・，ＱＴＬＴｊ，・・・，ＱＴＬＴｍ）よりも完全に大きい場合に、前記エネルギ蓄積手段が前記クライアント装置へエネルギを供給する第１設定モードに前記スイッチング装置を置く手段と、
前記クライアント装置がエネルギを必要とし且つ前記エネルギの瞬時レベル（ＳＥＬ）が前記局所閾値（ＱＴＬＴ１，・・・，ＱＴＬＴｊ，・・・，ＱＴＬＴｍ）よりも完全に小さい場合に、前記オペレータが前記クライアント装置へ及び前記エネルギ蓄積手段へ同時にエネルギを供給する第２設定モードに前記スイッチング装置を置く手段と、
前記クライアント装置がエネルギを必要とし且つ前記エネルギの瞬時レベル（ＳＥＬ）が前記局所閾値（ＱＴＬＴ１，・・・，ＱＴＬＴｊ，・・・，ＱＴＬＴｍ）に等しい場合に、前記オペレータが前記クライアント装置へのみエネルギを供給する第３設定モードに前記スイッチング装置を置く手段と
を有する、付記８に記載の制御装置。
（付記１０）
前記第２手段は、
前記オペレータから前記料金表（ｑＴ１，・・・，ｑＴｊ，・・・，ｑＴｍ）を受け取る手段と、
夫々の時間周期（Ｃ１，Ｃ２）の開始時に、前記料金表（ｑＴ１，・・・，ｑＴｊ，・・・，ｑＴｍ）からの前記第１ベクトル（Ｖ１）の要素（ｐ１，・・・，ｐｉ，・・・，ｐｎ）の値及び前記第２ベクトル（Ｖ２Ｌ，Ｖ２Ｈ）の要素（（ＬＴＬ１，・・・，ＬＴＬｉ，・・・，ＬＴＬｎ），（ＨＴＬ１，・・・，ＨＴＬｉ，・・・，ＨＴＬｎ））の値を、
前記第１ベクトル（Ｖ１）の全ての要素（ｐ１，・・・，ｐｉ，・・・，ｐｎ）の値が前の時間周期に対して又は第１の時間周期（Ｃ１）の間に変更される場合に、前記第２ベクトル（Ｖ２Ｌ，Ｖ２Ｈ）の要素の値の初期化によって、
前記第１ベクトル（Ｖ１）のｉ番目の要素（ｐｉ）の値が前の時間周期に対して変更される場合に、前記第２ベクトル（Ｖ２Ｌ，Ｖ２Ｈ）のｉ番目の要素（ＬＴＬｉ，ＨＴＬｉ）へ前記第２ベクトル（Ｖ２Ｌ，Ｖ２Ｈ）のｉ−１番目の要素（ＬＴＬｉ−１，ＨＴＬｉ−１）の値を割り当てることによって、
前記第１ベクトル（Ｖ１）の全ての要素（ｐ１，・・・，ｐｉ，・・・，ｐｎ）の値が前の時間周期に対して不変である場合に、前記第２ベクトル（Ｖ２Ｌ，Ｖ２Ｈ）の要素の値を更新することによって、
評価する手段と
を有する、付記８又は９に記載の制御装置。
（付記１１）
夫々の時間期間（Ｔ１，・・・，Ｔｊ，・・・，Ｔｍ）の終わりに、前記第１レベルのエネルギ（ＰＲＬＴ１，・・・，ＰＲＬＴｊ，・・・，ＰＲＬＴｍ）と前記第２レベルのエネルギ（ＰＬＬＴ１，・・・，ＰＬＬＴｊ，・・・，ＰＬＬＴｍ）との和に等しいエネルギの総レベル（ＳＰＴ１，・・・，ＳＰＴｊ，・・・，ＳＰＴｍ）の当該時間期間（Ｔ１，・・・，Ｔｊ，・・・，Ｔｍ）の間の前記オペレータによる供給の第１費用（ＣＲＴ１，・・・，ＣＲＴｊ，・・・，ＣＲＴｍ）を評価する第４手段と、
前記第１レベルのエネルギ（ＰＲＬＴ１，・・・，ＰＲＬＴｊ，・・・，ＰＲＬＴｍ）に等しい前記時間期間（Ｔ１，・・・，Ｔｊ，・・・，Ｔｍ）の間の前記クライアント装置へ前記オペレータによって供給されるエネルギのレベルを考慮することによって、前記時間期間（Ｔ１，・・・，Ｔｊ，・・・，Ｔｍ）の間の前記エネルギ蓄積手段への前記オペレータによるエネルギの供給のｎ個の第２費用の２つの組（（ＣＬＦＴ１，１，・・・，ＣＬＦＴ１，ｉ，・・・，ＣＬＦＴ１，ｎ），・・・，（ＣＬＦＴｊ，１，・・・，ＣＬＦＴｊ，ｉ，・・・，ＣＬＦＴｊ，ｎ），・・・，（ＣＬＦＴｍ，１，・・・，ＣＬＦＴｍ，ｉ，・・・，ＣＬＦＴｍ，ｎ），（ＣＨＦＴ１，１，・・・，ＣＨＦＴ１，ｉ，・・・，ＣＨＦＴ１，ｎ），・・・，（ＣＨＦＴｊ，１，・・・，ＣＨＦＴｊ，ｉ，・・・，ＣＨＦＴｊ，ｎ），・・・，（ＣＨＦＴｍ，１，・・・，ＣＨＦＴｍ，ｉ，・・・，ＣＨＦＴｍ，ｎ））を評価する第５手段であって、前記第１ベクトル（Ｖ１）及び仮想の第２ベクトル（ＶＬＦ２ｉ，ＶＨＦ２ｉ）を含む２ｎ個の関連付け（（Ｖ１，Ｖ２ＬＦ２ｉ，Ｖ２ＬＦ２ｉ），（Ｖ１，Ｖ２ＨＦ２ｉ，Ｖ２ＨＦ２ｉ））を引き続いて考慮することによって前記第１手段、前記第２手段及び前記第３手段の機能をシミュレーションし、前記仮想の第２ベクトルの１つ（ＶＬＦ２ｉ）はｎ個の要素（ＬＴＬ１，・・・，ＬＴＬｉ＋δ，・・・，ＬＴＬｎ）を有し、前記仮想の第２ベクトルの他（ＶＨＦ２ｉ）はｎ個の要素（ＨＴＬ１，・・・，ＨＴＬｉ＋δ，・・・，ＨＴＬｎ）を有し、δは前記第２手段に記憶される正の整数である第５手段と、
夫々の時間周期の間の前記オペレータによるエネルギの供給の実際の費用（ＳＣＲ１）を得るよう、当該時間周期の終わりに評価されるｍ個の前記第１費用（ＣＲＴ１，・・・，ＣＲＴｊ，・・・，ＣＲＴｍ）を合計する第６手段と、
夫々の時間周期の間の前記オペレータによるエネルギの供給のｎ個の架空の費用の少なくとも２つの組（（ＳＣＬＦ１，・・・ＳＣＬＦｉ，・・・，ＳＣＬＦｎ），（ＳＣＨＦ１，・・・，ＳＣＨＦｉ，・・・，ＳＣＨＦｎ））を得るよう、当該時間周期の終わりに評価されるｍ個の前記第２費用（（ＣＬＦＴ１，１，・・・，ＣＬＦＴ１，ｉ，・・・，ＣＬＦＴ１，ｎ），・・・，（ＣＬＦＴｊ，１，・・・，ＣＬＦＴｊ，ｉ，・・・，ＣＬＦＴｊ，ｎ），・・・，（ＣＬＦＴｍ，１，・・・，ＣＬＦＴｍ，ｉ，・・・，ＣＬＦＴｍ，ｎ），（ＣＨＦＴ１，１，・・・，ＣＨＦＴ１，ｉ，・・・，ＣＨＦＴ１，ｎ），・・・，（ＣＨＦＴｊ，１，・・・，ＣＨＦＴｊ，ｉ，・・・，ＣＨＦＴｊ，ｎ），・・・，（ＣＨＦＴｍ，１，・・・，ＣＨＦＴｍ，ｉ，・・・，ＣＨＦＴｍ，ｎ））を合計する第７手段と、
前記時間周期の終わりに前記実際の費用（ＳＣＲ１）の値と前記架空の費用（（ＳＣＬＦ１，・・・ＳＣＬＦｉ，・・・，ＳＣＬＦｎ），（ＳＣＨＦ１，・・・，ＳＣＨＦｉ，・・・，ＳＣＨＦｎ））の夫々の値とを比較し、該比較の結果（（ＲＥＳＬ１，・・・，ＲＥＳＬｉ，・・・，ＲＥＳＬｎ），（ＲＥＳＨ１，・・・，ＲＥＳＨｉ，・・・，ＲＥＳＨｎ））を供給する第８手段と
を更に有する付記１０に記載の制御装置。
（付記１２）
前記第２手段は、
前記第８手段によって供給される前記比較の結果を受け取る手段と、
前記架空の費用（ＳＣＬＦｉ，ＳＣＨＦｉ）の値が実際の費用（ＳＣＲ１）の値よりも完全に安いと前記結果（ＲＥＳＬｉ，ＲＥＳＨｉ）が証明するとき、前記第１手段に記憶される前記第２ベクトル（Ｖ２Ｌ，Ｖ２Ｈ）のｉ番目の要素の値へ値δを加える手段と、
前記架空の費用（ＳＣＬＦｉ，ＳＣＨＦｉ）の値が実際の費用（ＳＣＲ１）の値よりも完全に高いと前記結果（ＲＥＳＬｉ，ＲＥＳＨｉ）が証明するとき、前記第１手段に記憶される前記第２ベクトル（Ｖ２Ｌ，Ｖ２Ｈ）のｉ番目の要素の値から値δを減じる手段と
を更に有する、付記１１に記載の制御装置。
（付記１３）
前記第３手段は、
前記クライアント装置がエネルギを必要としない場合に、前記エネルギの瞬時レベル（ＳＥＬ）が前記局所閾値（ＱＴＬＴ１，・・・，ＱＴＬＴｊ，・・・，ＱＴＬＴｍ）よりも完全に小さい間、前記オペレータが前記エネルギ蓄積手段へのみエネルギを供給する第４モードに前記スイッチング装置を置く手段と、
前記クライアント装置がエネルギを必要とせず且つ前記エネルギの瞬時レベル（ＳＥＬ）が前記局所閾値（ＱＴＬＴ１，・・・，ＱＴＬＴｊ，・・・，ＱＴＬＴｍ）よりも大きいか又は該局所閾値に等しい場合に、前記オペレータが前記クライアント装置へ及び前記エネルギ蓄積手段へエネルギを供給しない第５モードに前記スイッチング装置を置く手段と
を更に有する、付記８乃至１２のうちいずれか一つに記載の制御装置。
（付記１４）
局所的エネルギ輸送網へ接続されるクライアント装置のエネルギの供給を管理する方法であって、前記クライアント装置は、前記局所的エネルギ輸送網へ接続されるスイッチング装置を介してエネルギを必要とすることができ、オペレータは、２以上の数ｍの連続する時間期間（Ｔ１，・・・，Ｔｊ，・・・，Ｔｍ）に夫々分けられた連続する時間周期（Ｃ１，Ｃ２）に時間が分解される料金表（ｑＴ１，・・・，ｑＴｊ，・・・，ｑＴｍ）に従い前記スイッチング装置を介して前記局所的エネルギ輸送網へエネルギを供給し、該エネルギが前記連続する時間期間の夫々の間に当該時間期間に対応する値段で勘定請求され、エネルギ蓄積手段は、該エネルギ蓄積手段が前記クライアント装置へエネルギを供給する第１モード又は、前記オペレータが前記クライアント装置へ及び前記エネルギ蓄積手段へ同時にエネルギを供給する第２モード又は、前記オペレータが前記クライアント装置へのみエネルギを供給する第３モードに従って構成される前記スイッチング装置を介して、前記局所的エネルギ輸送網へ接続される、方法において、
制御装置において、
前記料金表（ｑＴ１，・・・，ｑＴｊ，・・・，ｑＴｍ）を受け取るステップと、
連続して且つ実時間で、前記エネルギ蓄積手段に蓄積されるエネルギの瞬時レベルを前記エネルギ蓄積手段から受け取るステップと、
前記料金表（ｑＴ１，・・・，ｑＴｊ，・・・，ｑＴｍ）から第１ベクトル（Ｖ１）のｎ個の要素（ｐ１，・・・，ｐｉ，・・・，ｐｎ）を評価し、夫々の時間周期の開始時に、前記第１ベクトル（Ｖ１）のｎ個の要素（ｐ１，・・・，ｐｉ，・・・，ｐｎ）に関連する２つの第２ベクトル（Ｖ２Ｌ，Ｖ２Ｈ）のｎ個の要素（（ＬＴＬ１，・・・，ＬＴＬｉ，・・・，ＬＴＬｎ），（ＨＴＬ１，・・・，ＨＴＬｉ，・・・，ＨＴＬｎ））を決定するステップと、
前記料金表（ｑＴ１，・・・，ｑＴｊ，・・・，ｑＴｍ）から及び前記関連付け（Ｖ１，Ｖ２Ｌ，Ｖ２Ｈ）から目下の時間期間（Ｔｊ）について前記エネルギ蓄積手段の充電の第１及び第２の現在の閾値（ＱＬＴＬＴｊ，ＱＨＴＬＴｊ）を決定するステップと、
夫々の時間期間（Ｔｊ）で、
当該時間期間（Ｔｊ）の開始時にエネルギの瞬時レベル（ＳＥＬＩＮＩＴ，Ｔｊ）を決定し、
当該時間期間（Ｔｊ）の開始時に前記エネルギ蓄積手段に蓄積される前記エネルギの瞬時レベル（ＳＥＬＩＮＩＴ，Ｔｊ）と当該時間期間（Ｔｊ）に関連する充電の前記第１及び第２の現在の閾値（ＱＬＴＬＴｊ，ＱＨＴＬＴｊ）との間の比較から、前記エネルギ蓄積手段の充電の局所閾値（ＱＴＬＴｊ）を決定し、
連続して且つ実時間で、前記瞬時レベル（ＳＥＬ）が前記局所閾値（ＱＴＬＴｉ）を満たすように、前記スイッチング装置に対して設定モードを決定し割り当てるステップと
を有することを特徴とする方法。
（付記１５）
前記時間期間（Ｔ１，・・・，Ｔｊ，・・・，Ｔｍ）の範囲にわたる前記時間周期の間の前記オペレータによるエネルギの供給の実際の費用（ＳＣＲ１）を評価するステップと、
前記第１レベルのエネルギ（ＰＲＬＴ１，・・・，ＰＲＬＴｊ，・・・，ＰＲＬＴｍ）に等しい前記時間期間（Ｔ１，・・・，Ｔｊ，・・・，Ｔｍ）の間の前記クライアント装置へ前記オペレータによって供給されるエネルギのレベルを考慮することによる前記時間期間（Ｔ１，・・・，Ｔｊ，・・・，Ｔｍ）の間の前記エネルギ蓄積手段への前記オペレータによるエネルギの供給のｎ個の第２費用の２つの組（（ＣＬＦＴ１，１，・・・，ＣＬＦＴ１，ｉ，・・・，ＣＬＦＴ１，ｎ），・・・，（ＣＬＦＴｊ，１，・・・，ＣＬＦＴｊ，ｉ，・・・，ＣＬＦＴｊ，ｎ），・・・，（ＣＬＦＴｍ，１，・・・，ＣＬＦＴｍ，ｉ，・・・，ＣＬＦＴｍ，ｎ），（ＣＨＦＴ１，１，・・・，ＣＨＦＴ１，ｉ，・・・，ＣＨＦＴ１，ｎ），・・・，（ＣＨＦＴｊ，１，・・・，ＣＨＦＴｊ，ｉ，・・・，ＣＨＦＴｊ，ｎ），・・・，（ＣＨＦＴｍ，１，・・・，ＣＨＦＴｍ，ｉ，・・・，ＣＨＦＴｍ，ｎ））の評価から、引き続いて前記第１ベクトル（Ｖ１）及び仮想の第２ベクトル（ＶＬＦ２ｉ，ＶＨＦ２ｉ）を含む２ｎ個の関連付け（（Ｖ１，Ｖ２ＬＦ２ｉ，Ｖ２ＬＦ２ｉ），（Ｖ１，Ｖ２ＨＦ２ｉ，Ｖ２ＨＦ２ｉ））を考慮することによって、前記時間期間（Ｔ１，・・・，Ｔｊ，・・・，Ｔｍ）の範囲にわたる前記時間周期の間の前記オペレータによるエネルギの供給の２ｎ個の架空の費用（（ＳＣＬＦ１，・・・ＳＣＬＦｉ，・・・，ＳＣＬＦｎ），（ＳＣＨＦ１，・・・，ＳＣＨＦｉ，・・・，ＳＣＨＦｎ））を評価し、前記仮想の第２ベクトルの１つ（ＶＬＦ２ｉ）はｎ個の要素（ＬＴＬ１，・・・，ＬＴＬｉ＋δ，・・・，ＬＴＬｎ）を有し、前記仮想の第２ベクトルの他（ＶＨＦ２ｉ）はｎ個の要素（ＨＴＬ１，・・・，ＨＴＬｉ＋δ，・・・，ＨＴＬｎ）を有し、δは前記制御装置に記憶される正の整数であるステップと、
前記時間周期の終わりに、前記実際の費用（ＳＣＲ１）の値と前記架空の費用（（ＳＣＬＦ１，・・・ＳＣＬＦｉ，・・・，ＳＣＬＦｎ），（ＳＣＨＦ１，・・・，ＳＣＨＦｉ，・・・，ＳＣＨＦｎ））の夫々の値とを比較するステップと、
前記比較の結果（（ＲＥＳＬ１，・・・，ＲＥＳＬｉ，・・・，ＲＥＳＬｎ），（ＲＥＳＨ１，・・・，ＲＥＳＨｉ，・・・，ＲＥＳＨｎ））に従って前記制御装置に記憶される前記第２ベクトル（Ｖ２Ｌ，Ｖ２Ｈ）の要素（（ＬＴＬ１，・・・，ＬＴＬｉ，・・・，ＬＴＬｎ），（ＨＴＬ１，・・・，ＨＴＬｉ，・・・，ＨＴＬｎ））の値を更新するステップと
を更に有する付記１４に記載の方法。
【図１】
0006046054.tif 000002
【図２ａ】
0006046054.tif 000003
【図２ｂ】
0006046054.tif 000004
【図２ｃ】
0006046054.tif 000005
【図２ｄ】
0006046054.tif 000006
【図２ｅ】
0006046054.tif 000007
【図３】
0006046054.tif 000008
【図４】
0006046054.tif 000009
【図５】
0006046054.tif 000010
【図６】
0006046054.tif 000011
【図７】
0006046054.tif 000012